(57)【要約】  建築構造（２４００）として使用可能な高さ調節可能な搬送用コンテナ。縦の角部柱（２４０５）と、少なくとも３つの側壁とを有するコンテナは、搬送用コンテナとして高さを下げて輸送され、受け取る側で拡張されてもよい。縦の角部柱（２４０５）のうちの少なくともいくつかは、高さを下げた搬送用コンテナの拡張の間に長さが拡張する。搬送用コンテナは、少なくとも２つの搬送用コンテナのものと床面積において同等である建築構造を構築するための、壁パネル（２４０３、２４０４、床２４０１）、屋根（２４０２Ａ、２４０２Ｂ）およびさらに継手などの構造的構成要素を収容し輸送することができる。【選択図】図１１
2015513622.tif 000002
【特許請求の範囲】
【請求項１】
建築構造として使用するための拡張可能な搬送用コンテナを製造する方法において、
コンテナ基部および拡張可能な縦の部材とを提供するステップであって、前記部材は、拡張していないとき、梱包された高さまで延在し、前記基部に取り付けられ、かつ前記コンテナの前記梱包された高さ未満まで延在する少なくとも１つの第１の縦の壁部分を提供し、拡張可能な縦の部材の上側部分に少なくとも１つの位置で固定される上側表面を提供し、前記上側表面から前記第１の縦の壁部分に向かって延在する少なくとも１つの第２の縦の壁部分を提供する、ステップと、
前記第１の縦の壁部分を前記第２の縦の壁部分からさらに離間する、前記部材を拡張した位置へと延在するステップと、を含むことを特徴とする方法。
【請求項２】
建築構造として使用可能で、かつ縦の角部部材および少なくとも３つの側壁を有し、搬送用コンテナとして高さを下げて輸送され、前記受け取る側において拡張してもよい、高さ調節可能な搬送用コンテナにおいて、前記高さを下げて搬送されるコンテナの拡張の間に、少なくともいくつかの前記縦の角部部材の長さが延在し、搬送用コンテナがその中に、少なくとも２つの搬送用コンテナのものと床面積において同等である建築構造を設置するための、壁パネル、床、屋根およびさらには継手などの構造的構成要素を収容し輸送することができることを特徴とする、高さ調節可能な搬送用コンテナ。
【請求項３】
請求項２に記載の高さ調節可能な搬送用コンテナにおいて、前記縦の部材が、縦のレールまたは柱であることを特徴とする、搬送用コンテナ。
【請求項４】
請求項２に記載の高さ調節可能な搬送用コンテナにおいて、前記柱が中空であることを特徴とする、搬送用コンテナ。
【請求項５】
請求項２に記載の高さ調節可能な搬送用コンテナにおいて、拡張の間に側壁の少なくともいくつかの部分が前記高さ調節可能なコンテナの上側部分に取り付けられることを特徴とする、高さ調節可能な搬送用コンテナ。
【請求項６】
請求項５に記載の高さ調節可能な搬送用コンテナにおいて、側壁の少なくともいくつかの他の部分が、拡張の間に、前記高さ調節可能なコンテナの前記下側部分に取り付けられることを特徴とする、高さ調節可能な搬送用コンテナ。
【請求項７】
請求項６に記載の高さ調節可能な搬送用コンテナにおいて、前記側壁の前記下側部分が、その高さが、その下に家具を収容できるほど実質的に十分高いことを特徴とする、高さ調節可能な搬送用コンテナ。
【請求項８】
請求項７に記載の高さ調節可能な搬送用コンテナにおいて、前記側壁の前記下側部分が、実質的に０．９メートルの高さであることを特徴とする、高さ調節可能な搬送用コンテナ。
【請求項９】
請求項２乃至８の何れか１項に記載の高さ調節可能な搬送用コンテナにおいて、
前記側壁の前記上側部分が、実質的に０．３メートルの高さであることを特徴とする、高さ調節可能な搬送用コンテナ。
【請求項１０】
請求項２乃至９の何れか１項に記載の高さ調節可能な搬送用コンテナにおいて、
前記高さ調節可能な搬送用コンテナが、ユーティリティサービスのためのアクセス点を含み、前記アクセス点が前記上側壁と前記下側壁との接合部に位置することを特徴とする、高さ調節可能な搬送用コンテナ。
【請求項１１】
請求項２乃至１０の何れか１項に記載の高さ調節可能な搬送用コンテナにおいて、
上側搬送用コンテナ部分と下側搬送用コンテナ部分との間の隙間を埋める壁の少なくとも一部が前記コンテナの拡張時に適所に引っ張り込まれることを特徴とする、高さ調節可能な搬送用コンテナ。
【請求項１２】
請求項２乃至１１の何れか１項に記載の高さ調節可能な搬送用コンテナにおいて、
輸送の間、前記搬送用コンテナの壁を形成する前記要素は、拡張後前記コンテナ内の別の場所に移動してもよいことを特徴とする、高さ調節可能な搬送用コンテナ。
【請求項１３】
請求項２乃至１２の何れか１項に記載の高さ調節可能な搬送用コンテナにおいて、
前記搬送用コンテナ頂部表面が、前記床の平面に対して傾斜していることを特徴とする、高さ調節可能な搬送用コンテナ。
【請求項１４】
請求項１３に記載の高さ調節可能な搬送用コンテナにおいて、２つのかかる拡張した、傾斜している頂部表面が、尖った部分のある傾斜した屋根を形成するように、隣り合って定置されてもよいことを特徴とする、高さ調節可能な搬送用コンテナ。
【請求項１５】
請求項２乃至１４の何れか１項に記載の高さ調節可能な搬送用コンテナにおいて、前記搬送用コンテナの前記床は、注ぐことができる硬化可能な材料を受容するように作用してもよく、かつ前記硬化可能な材料のための強化として作用する要素を含んでもよいことを特徴とする、高さ調節可能な搬送用コンテナ。
【請求項１６】
請求項１５に記載の高さ調節可能な搬送用コンテナにおいて、前記強化要素が、２つの隣接する拡張した搬送用コンテナの床を通って延在してもよいことを特徴とする、高さ調節可能な搬送用コンテナ。
【請求項１７】
請求項２乃至１６の何れか１項に記載の高さ調節可能な搬送用コンテナにおいて、前記搬送用コンテナ角部部材が、伸縮式部分を含んでもよく、その中で前記角部レール頂部において、任意の係合機能部が、それぞれの伸縮式部分の前記頂部で実質的に繰り返されることを特徴とする、高さ調節可能な搬送用コンテナ。
【請求項１８】
請求項４に記載の高さ調節可能な搬送用コンテナにおいて、前記中空の前記柱の内部は、注ぐことができる硬化可能な材料を受容するように作用してもよく、かつ前記硬化可能な材料のための強化として作用する要素を含んでもよいことを特徴とする、高さ調節可能な搬送用コンテナ。
【請求項１９】
請求項２乃至１８の何れか１項に記載の高さ調節可能な搬送用コンテナにおいて、
前記拡張した形状であるとき、前記角部部材は、縦の負荷を支持する能力を有したままであることを特徴とする、高さ調節可能な搬送用コンテナ。
【請求項２０】
請求項２乃至１９の何れか１項に記載の高さ調節可能な搬送用コンテナにおいて、
輸送の間側面パネルが前記側壁に締結され、前記搬送用コンテナが輸送されるとき前記側面パネルがブレースおよびショックアブソーバーとして作用するよう適合されることを特徴とする、高さ調節可能な搬送用コンテナ。
【請求項２１】
請求項２０に記載の高さ調節可能な搬送用コンテナにおいて、外壁、窓、およびドア開口の組合せを生成するように、前記側面パネルを前記設置されたコンテナの外殻へと移すことができ、これにより、前記パネル、窓、およびドアが交換可能となり、所望により複数の異なる形式を作製することができることを特徴とする、高さ調節可能な搬送用コンテナ。
【請求項２２】
請求項１乃至２１の何れか１項に記載の高さ調節可能な搬送用コンテナにおいて、前記拡張可能な縦の部材が、２つの離間する拡張可能な縦の部材の間で延在するように適合される、負荷を受ける梁の一部を支持する、水平方向に延在するチャネルを含むことを特徴とする、高さ調節可能な搬送用コンテナ。
【請求項２３】
請求項１５に記載の高さ調節可能な搬送用コンテナにおいて、前記床が、設置されていない前記搬送用コンテナを容易に輸送することができるように、前記フォークリフトの爪部を受容するように適合され、前記搬送用コンテナが設置されているとき、サービスダクトとして使用するように適合される、離間した開口部を含むことを特徴とする、高さ調節可能な搬送用コンテナ。
【発明の詳細な説明】
【技術分野】
【０００１】
本発明は、典型的には居住設備および／または鉱業用宿泊設備として使用するための建築構造として使用する、高さ調節可能な搬送用コンテナに関する。
【背景技術】
【０００２】
標準的な搬送用コンテナの搬送の既存の方法の１つの問題は、特にコンテナを何らかの形の宿泊設備または商業的な用途で使用するとき、コンテナ内の空間全体を使い切らない製品の高さと輸送コストにある。このような場合には、コンテナの内部は、しばしばほとんど空であるが、コンテナ内での最終的な住居としての高さは、最大限の高さであるので、輸送コストが高い。
【０００３】
同様に、搬送用コンテナの高さより高い宿泊設備を設けなければならない場合、２つのコンテナであって、一方には床がなく上下に重ねなければならない２つのコンテナとして提供することのみが現実的な選択肢である。
【０００４】
先行技術の参照
本明細書で引用した任意の特許または特許出願を含むすべての参考文献は、参照により本明細書に組み込まれる。いずれの参考文献も先行技術を構成するものであると認めるものではない。参考文献の議論は、その著者が何を主張しているかを述べ、出願人は引用した文献の正確さと適切性に異議を申し立てる権利を保有する。ニュージーランドにおいて、または任意の他の国において、いくつかの先行技術の出版物が本明細書で参照され得るが、この参照は、これらのいずれかの文献が当該技術分野の一般的な共通の知識の一部を形成する認めることとはならないことが、明確に理解されよう。
【０００５】
発明の目的
既知の技術のいくつかの欠点および限界を改善し、少なくとも公共に対して有用な選択肢を提供する、高さ調節可能な搬送用コンテナを提供することが本発明の目的である。
【発明の概要】
【０００６】
第１の態様では、本発明は、建物として使用可能で、縦の角部部材と、少なくとも３つの側壁とを有し、搬送用コンテナとして高さを下げて輸送され、受け取る側で拡張してもよく、縦の角部部材のうちの少なくともいくつかの長さが、高さを下げた搬送用コンテナの拡張の間に、拡張する、高さ調節可能な搬送用コンテナにある。
【０００７】
好ましくは、縦の角部部材は、縦のレールまたは柱である。
【０００８】
好ましくは、側壁の少なくともいくつかの部分は、拡張の間、高さ調節可能なコンテナの上側部分に取り付けられる。
【０００９】
好ましくは、側壁の少なくともいくつかの他の部分は、拡張の間、高さ調節可能なコンテナの下側部分に取り付けられる。
【００１０】
好ましくは、側壁の下側部分は、その高さが、その下に家具を収容できるほど実質的に十分高い。
【００１１】
好ましくは、側壁の下側部分は、実質的に０．９メートルの高さである。
【００１２】
好ましくは、側壁の上側部分は、実質的に０．３メートルの高さである。
【００１３】
好ましくは、ユーティリティサービスのためのアクセス点は、上側壁と下側壁との接合部にある。
【００１４】
好ましくは、上側の搬送用コンテナと下側の搬送用コンテナとの間の隙間を埋める壁部の少なくとも一部は、コンテナの拡張部の適所に引っ張って定置される。
【００１５】
好ましくは、輸送の間搬送用コンテナ壁を形成する要素は、拡張後、コンテナ内の別の場所へ移動されてもよい。
【００１６】
好ましくは、搬送用コンテナの頂部表面は、床の面に対して傾斜している。
【００１７】
好ましくは、２つのかかる拡張した頂部表面は、尖った部分のある傾斜した屋根を形成するために、隣り合って定置されてもよい。
【００１８】
好ましくは、搬送用コンテナの床は、注ぐことができる硬化可能な材料を受容するように作用してもよく、かつ硬化可能な材料の強化として作用する要素を含んでもよい。
【００１９】
好ましくは、強化要素は、２つの隣接する拡張した搬送用コンテナの床を通って延在してもよい。
【００２０】
好ましくは、搬送用コンテナの角部部材は伸縮式の部分を含んでもよく、そこでは角部のレール頂部内の任意の係合特徴部がそれぞれの伸縮部の頂部内で実質的に繰り返される。
【００２１】
好ましくは、角部部材は拡張した形態で、縦の負荷を支持する能力を持ち続ける。
【００２２】
好ましくは、拡張可能な縦の部材は、２つの離間する拡張可能な縦の部材の間に延在するように適合される、負荷を受ける梁の一部を支持する、水平方向に延在するチャネルを含む。
【００２３】
好ましくは、床は、設置されていない搬送用コンテナを容易に輸送することができるように、フォークリフトの爪部を受容するように適合され、搬送用コンテナが設置されているとき、サービスダクトとして使用するよう適合される、離間した開口部を含む。
【００２４】
本明細書に記載されるように、別の態様では、本発明は、拡張可能な搬送用コンテナを製造する方法に関し、この方法は、
（ｉ）コンテナ基部と拡張可能な縦の部材とを提供するステップであって、部材は、拡張していないとき、梱包された高さまで延在し、基部に取り付けられ、かつコンテナの梱包された高さ未満まで延在する少なくとも１つの第１の縦の壁部分を提供し、拡張可能な縦の部材の上側部分に少なくとも１つの位置で固定される上側表面を提供し、上側表面から第１の縦の壁部分に向かって延在する少なくとも１つの第２の縦の壁部分を提供する、ステップと、
（ｉｉ）第１の縦の壁部分を第２の縦の壁部分からさらに離間する、拡張した位置に部材を延在するステップとによる。
【００２５】
ここで本発明は、添付の図を参照して、例示としてのみ記載される。
【図面の簡単な説明】
【００２６】
【図１】図１は、本発明の第１の好ましい実施形態による高さ調節可能な搬送用コンテナである。
【図２】図２は、拡張した位置にある図１のコンテナである。
【図３】図３は、図１のコンテナの変形である。
【図４】図４は、２つの図３に示すコンテナの組み立てである。
【図５】図５は、コンテナに適したプレハブの床アセンブリである。
【図６】図６は、２つの図３のプレハブの床アセンブリの間のジョイントの詳細である。
【図７】図７は、伸縮式に拡張する縦のコンテナレールの詳細である。
【図８】図８は、小型の宿泊設備コンテナの区画の側面図である。
【図９】図９は、拡張した形態にある図８のコンテナの側面図である。
【図１０】図１０は、本発明の第２の好ましい実施形態による、トラックトレーラー上に置かれた、輸送する用意ができている、畳んだコンテナの斜視図である。
【図１１】図１１は、図１０に示す、畳んだコンテナのうちの１つの斜視図である。
【図１２】図１２は、図１１に示す拡張した形態のコンテナの斜視図である。
【図１３】図１３は、図１２に示すコンテナの端面図である。
【図１４】図１４は、図１２に示すコンテナのさらなる代替の端面図である。
【図１５】図１５は、図１２に示すコンテナの斜視切り取り図である。
【図１６】図１６は、図１５に示すコンテナの上面図である。
【図１７】図１７は、図１２に示すコンテナの下側フレームの斜視図である。
【図１８】図１８は、図１７に示す下側フレームの、側面パネルと床を取り外した斜視図である。
【図１９】図１９は、図１８に示す下側フレームの上面図である。
【図２０】図２０は、図１２に示すコンテナの上側フレームの斜視図である。
【図２１】図２１は、伸縮式の拡張している縦のコンテナ柱の詳細の側面図である。
【図２２】図２２は、図２１に示す柱の下側および上側部分の詳細である。
【図２３】図２３は、図１２に示すコンテナの部分の側面断面図である。
【図２４】図２４は、本発明の第３の好ましい実施形態による梱包された設置されていないコンテナの斜視図である。
【図２４Ａ】図２４Ａは、図２４に示すコンテナの斜視分解図である。
【図２４Ｂ】図２４Ｂは、図２４に示す梱包された設置されていないコンテナの下側部分の斜視図である。
【図２４Ｃ】図２４Ｃは、図２４に示すコンテナの、設置した状態での斜視図である。
【図２４Ｄ】図２４Ｄは、組み立てられた建物の斜視図である。
【図２４Ｅ】図２４Ｅは、図２４に示される２つのコンテナから作り出された更なる部分的に組み立てられた建物の斜視図である。
【図２４Ｆ】図２４Ｆは、図２４Ｅに示す完全に組み立てられてられた建物の斜視図である。
【図２４Ｇ】図２４Ｇは、別の組み立てられた建物の斜視図である。
【図２４Ｈ】図２４Ｈは、別の部分的に組み立てられた建物の斜視図である。
【図２４Ｉ】図２４Ｉは、図２４Ｇに示す完全な状態の建物の斜視図である。
【図２４Ｊ】図２４Ｊは、輸送する準備が整った、コンテナの斜視図である。
【図２４Ｋ】図２４Ｋは、図２４Ｊに示すコンテナの部分的な分解図である。
【図２５】図２５は、本発明の第４の好ましい実施形態による、梱包された設置されていないコンテナの斜視図である。
【図２５Ａ】図２５Ａは、図２５に示すコンテナの斜視分解図である。
【図２５Ｂ】図２５Ｂは、図２５に示す梱包された設置されていないコンテナの下側部分の斜視図である。
【図２５Ｃ】図２５Ｃは、図２５に示す設置した状態のコンテナの斜視図である。
【図２５Ｄ】図２５Ｄは、組み立てられた建物の斜視図である。
【図２６】図２６は、本発明の第５の好ましい実施形態による梱包された設置されていないコンテナの斜視図である。
【図２６Ａ】図２６Ａは、図２６に示すコンテナの斜視図である。
【図２６Ｂ】図２６Ｂは、図２６に示す設置した状態の斜視分解図である。
【図２６Ｃ】図２６Ｃは、図２６に示す設置された状態のコンテナの更なる斜視分解図である。
【図２６Ｄ】図２６Ｄは、梱包された、設置されていないコンテナの図２６に示す下側部分の斜視図である。
【図２６Ｅ】図２６Ｅは、図２６に示すコンテナの設置した状態の斜視図である。
【図２６Ｆ】図２６Ｆは、組み立てられた建物の斜視図である。
【図２６Ｇ】図２６Ｇは、別の部分的に組み立てられた斜視分解図である。
【図２６Ｈ】図２６Ｈは、図２６Ｇに示す完全に組み立てられた建物の斜視図である。
【図２７】図２７は、コンテナのキットの形態の斜視図である。
【図２７Ａ】図２７Ａは、図２７に示すコンテナの分解図である。
【図２８】図２８は、層状の概略的形態のコンテナの斜視図である。
【図２８Ａ】図２８Ａは、図２８に示す、コンテナの分解図である。
【発明を実施するための形態】
【００２７】
下記の記述は、本発明すなわち高さ調節可能な搬送用コンテナの好ましい実施形態に関して発明を記載するものである。これらは発明を純粋に例示するものに過ぎず、本発明はこれらの好ましい実施形態にいかようにも限定されず、本発明の範囲を逸脱せずに可能な変形形態および改造形態が容易に明らかになるであろう。
【００２８】
本発明の建築システムは、住居、屋内ガレージ、機械および農耕具の小屋、緊急時の宿泊設備等に適用可能である。
【００２９】
本発明は、既存のシステムと比較して多くの利点を有する宿泊設備の建設および輸送の新しいシステムに関する。提案するシステムは、生産の純原価の著しい低減を有し、かつ現在利用可能なシステムの問題に対処し、これらを解決する。
【００３０】
概して本発明は、いくつかの建設の場合（例えばガレージ）には数時間ほどの短い時間である場合がある、最低限の時間で送達され、設置される外部建物殻に関する。建物殻は完全に包囲されているので、建設タイムライン上では天候による制限がない。地域の商業者が内部の据付をおこなうために従事してもよく、従って地域の建設業界を推進し、地域経済を刺激する。これは評議会および行政が望むものである。高度な技術を有する地域の作業者は、技術力の低い作業者、安価な海外経済圏からの作業者より効率的である可能性があり、気象条件は要因とはならないので、これらの地域の作業者は、最適な効率でより多く働くことができることになり、世界規模の市場と比較しても、経済的に競争力を持ち続けている。
【００３１】
発明のシステムは、ＩＳＯ搬送用コンテナ設計の周辺でフォーマットされ、容易に輸送され、容易に入手できる機器を使用して位置付けることができる。建物殻の現場でのセットアップの単純さに起因して、複雑でないプロジェクト用に、必要とされる組み立てを完了するために、技術力の低いセットが必要である。完成した設置された建物は、国際的な山火事に対する建物の規制に適合する。
【００３２】
緊急の宿泊設備の状況では、建物の設置の容易さおよびシステムが完全に包囲されているという特性は、家を失った人々が直ちにシェルターとセキュリティを有することができることを意味する。畳んだコンテナの状態でも、食糧および建物のリソースなどの緊急救援物資を、輸送し、畳んだコンテナの中に保存するために、発明のシステムを、使用することができる。
【００３３】
数多くの個人のコンテナも一緒に接続する可能性を含む、発明のシステムの有能性に起因して、病院、食糧貯蓄施設、または多数の家族による占有のためなどの様々な目的に使用することができる、大きいシェルター状のおよび安全な空間を迅速に作成することが可能である。この後者の使用は、公共生活の感覚も高め、大災害による影響を受けた人々に快適を提供するのを助ける。
【００３４】
建物ユニットを輸送するときにブレーシングとして使用される側面パネルは、設置されたフレームの外殻へと移動して、外壁、窓、およびドア開口の組み合わせを作製することができる。パネル、窓、およびドアは、交換可能であり、所望により数多くの異なるフォーマットを作製することができる。
【００３５】
ここで、発明を例示する図面に移る。
【００３６】
図１は、高さ調節可能な搬送用コンテナ１０１を示し、縦の角部レールは、それぞれの端部のトラッキングポイントおよびリフティングポイント１０２へと延在する。外面の縦壁は、切れ目１０５まで延在し、部分的端部パネル１０３、部分的側面パネル１０４および上面パネルおよび上側面部分的パネル１０６を形成する。
【００３７】
図２は、図１のコンテナの拡張した形態を示し、ここで伸縮式レール１０７は拡張しており、以前はパネル１０３の後ろにあったパネル１１０が適所に引き上げられ、以前はコンテナの内側に窓１０９と共に梱包されていた窓１０８は、拡張によって形成された隙間に定置される。コンテナ内に梱包されていてもよい他のパネルまたはドア、ローラードア、換気装置、テーブル等、などの設備を、拡張したコンテナに適合することができる。照明または配管設備などのさらに他のものが、ディスパッチする前に、コンテナに恒久的に適合されてもよい。
【００３８】
図３は、傾いた上部形成部品による、尖った部分のある傾斜した屋根１１２および端部パネル１１３付きのコンテナ１１１を示す。切れ目１０５は、オフセットであり、それぞれの切断ごとに、異なるパネル嵌合を提供する。典型的には、コンテナ内で必要とされる任意のサービス（配管、電気）は、設置時にサービスおよびテストを容易にすることができるように、ジョイントラインに隣接して位置する。図４は、図３のように、単一のより大きい宿泊設備構造へと拡張する前の互いに背中合わせに置かれた２つのコンテナを示す。様々な壁部は、拡張したときに適所にシフトされてもよく、例えば端部パネル１１３は、もう一方の端部埋めるために移動してもよく、１つの端部は、アクセスのために開放しておく。
【００３９】
代替形態では、２つのコンテナは離間してもよく、間の隙間に橋を渡す部品は、コンテナとともに梱包されていてもよい。これは、例えば、床材と、屋根の換気ブリッジを含んでもよい。
【００４０】
図５は、コンテナ用のフロアパンの図を示し、これは安定になることが意図される。これは縁構造物５０１と強化バー５０２とからなり、コンクリートまたは何らかの他の注ぐことができる硬化可能な材料を、最終的な現場でパンの中に流し込むことができ、コンテナの中に、強化されたコンクリートパッドを生成する。
【００４１】
図６は、図４のように当接し互いに固定されるコンテナを通して強化６０３を運ぶ方法を示し、これにより、縁部レール６０１、および６０２は、隣接し、コンクリートパッドを連続的にしようとした。
【００４２】
図７は、伸縮式ポールの拡張した形態の図を示す。トラッキングおよびリフティングのための係合機能部７０３付きの下側部分７０１は、キャップ７０２を有し、これは部分７０１上をスライドして下がる。係合機能部７０４がスライドして下がり、７０３でこれらと並んだとき、小型化したコンテナを持ち上げることができる。
【００４３】
図８は、宿泊設備コンテナの内部の側面図を示す。外部パネル８０１、８０２は、両者の間に切れ目を有し、コンテナを椅子８０３、シンクおよび蛇口８０４、デスク８０５およびライト８０６、８０７上へ小型化することができるようにする。ライト、ウォールパワー、およびシンクのための、配管、電気、および任意の他のユーティリティサービスは、区域８０８の切れ目のところにある連結点に位置し、コンテナを畳む前およびこれが拡張した後にサービスへのアクセスを提供し得る。これらのサービスは、コンテナ構造物に取り付けられた壁の頂部または底部のチャネル内に位置する場合がある。
【００４４】
かかる宿泊設備に対する切れ目は、好ましくは床から９００ｍｍ上で、高さ３００ｍｍのパネル８０１をともない、２５００ｍｍまたは２９００ｍｍの標準的な高さと比較して１２００ｍｍの小型化したコンテナの高さが与えられる。これは、通常の家具は、小型化したコンテナの中に収容することができることを意味する。
【００４５】
図９は、同一のコンテナの拡張した形態を示し、切れ目は、パネル８１０によって離間される。パネル８１０が最終的に定置される前に、サービスが接続され、例えば、ケーブルによってライト８０６、８０７が区域８０８内の中央接続ボードにソケットまたは接続ブロックによって接続される。これには、コンテナが現場で拡張している間でもアクセスが比較的容易であるという利点がある。
【００４６】
小型化したコンテナがそれでもなお標準的な搬送用コンテナの数値を使用している点が重要であり、これは、場合によっては畳んだ伸縮式のポールが、それでもまだ図３のようにコンテナ化した建物の立ち上がった構造を保持していることを意味する。
【００４７】
図１０は、本発明の搬送用コンテナのトラック輸送を示す。それぞれのコンテナ１００１〜１００６は、畳まれ、標準的な搬送用コンテナと比較するとサイズまたは高さが小さくなっている。それぞれの搬送用コンテナ１００１〜１００６は、すべての構成要素を含む。すなわち、フレーム、壁、パネル、等を含み、鉱工業、宿泊設備および／または商用目的などのための建築構造の設置を必要とする。
【００４８】
図１１は、保管されている、輸送状態にある、搬送用コンテナ１０００を示す。コンテナは、側部梁１０１１と端部梁１０１２付きのシャーシ１０１０を有する。側部梁１０１１は、少なくとも２つの離間するフォークリフトポケット開口部１０１３を有する。側部梁および端部梁１０１１、１０１２は、柱１０５０の基部において低標準ＩＳＯ角部要素１０５４を使用して接続される。柱１０５０は、下側区画交互配置ガイド部品１０５１と、上側区画交互配置ガイド部品１０５２とを含み、上側区画交互配置ガイド部品１０５２はコンテナ１０００の高さを調節できるように下側区画交互配置ガイド部品１０５１内で伸縮し所望場所に輸送するとき、建築構造を形成するために調整することができる。コンテナ１０００は、側壁１０６０、端部壁１０３０および屋根１０４０を有する。柱１０５０は、上位標準ＩＳＯ角部要素１０５３を有する。
【００４９】
図１２および１３は、柱１０５０が完全に延在している設置した状態のコンテナ１０００を示す。設置したコンテナは、端部壁パネル１０３１、１０３２、側壁パネル１０６２、１０６３、１０６４、１０６５、１０６７、１０６８およびドア１０６６、１０８２を有して示される。端部壁パネル１０３１および側壁パネル１０６３、１０６４は、適所に固定されるが、一方で、端部壁パネル１０３２および側壁パネル１０６５、１０６５、１０６７および１０６８は、取り外し可能である。側面パネル１０６１、１０６２が開いて、軒を形成し、幌、またはシェードパネルを形成し、これは、別の隣接するコンテナと接続して通路／ポーチ区域を形成することができる。
【００５０】
図１４は、図１３に示すコンテナ１０００に対する変形を示し、図１４では、配管ドレイン構成要素２３００を、組み立てられ、設置されたコンテナ１０００の床下に含む。好ましくは、配管ドレイン２３００は、コンテナ内で輸送され、コンテナが現場に着いて所望の位置に設置されたら、適所に接続される。
【００５１】
図１５および１６は、組み立てられ、完成したコンテナ１０００の切り欠き図である。コンテナ１０００は、ベッドルーム２１０１、ラウンジエリア２１０２、キッチンエリア２１０３、バスルーム２１０４、およびトイレ２１１５を含んで示される。示される好ましい継手、家電製品、およびアメニティーは、電子レンジ１８０５、冷蔵庫１８０６、温水タンク１８０７、ロッカー１８０８、および水洗トイレ１８０９である。他の継手、家電製品、およびアメニティーは、設置され、完成されたコンテナの使用目的に合うように利用することができるものと推測される。
【００５２】
図１７および図１８は、コンテナの下側フレーム１０００Ａを示す。図１７は、下側フレーム、側面パネル、および端部パネルを定位置で床ＬＡと組み立てた状態で示す。端壁１０３０、１０７０は、端部梁１０１２、１０１５および構造サービスダクトサポート１７０１、１７０８からなり、下側区画交互配置ガイド柱１０５１によって接続され、離間される。側壁１０６０、１０８０は、側部梁１０１１、１０１４を含み、下側区画交互配置ガイド柱１０５１の下側部分に接続される。構造サービスダクトサポート１７０２、１７０５、１７０７、１７０９、１７１２、１７１４は、下側区画交互配置ガイド柱１０５１と縦に延在するドアポスト１７０３、１７０４との組み合わせによってそれぞれ側部梁１０１１、１０１４の上に離間され、構造サービスダクトサポート１７０６、１７１０、１７１１、１７１３は、パネルおよび窓ならびに開口部１０６９Ａ、１０８５Ａ、そしてドアのためのサブフレームを形成して、壁を画定する。上側構造サービスダクトサポート、１７０１、１７０２、１７０５、１７０７、１７０８、１７０９、１７１２、１７１４は、スロット穴を含むことができ、ここに窓と壁パネルとを挿入することができ、締結具等の使用の必要無しに、窓およびパネルは定位置に保持される。
【００５３】
図１９は、コンテナの床Ｆを示す。床は、側部梁１０１１、１０１４および端部梁１０１２、１０１５を含むフレームからなり、端部で柱１０５０の基部に接続する。離間された間隔で側部梁１０１１と１０１４の間は、床梁１０１６が接続される。床フレームの中心から均等に離間して、フォークリフトのフォークを収容するために中空のフォークリフト用の支持圧縮プレート１０１７がある。図１９に示されるように、床Ｆは、設置されていないコンテナに含まれ、組み立てられ、コンテナが降ろされ設置される所望の場所で、地上または杭などの上に設置される。次いで、コンクリートの床を形成するために、セメントなどの注ぐことができる硬化可能な媒体が注がれる。（または、これはコンテナが定位置に置かれる前に行うこともできる）
【００５４】
床を構築するために、強化した鋼がコンテナの内側に固定され、位置付けられ、コンクリートまたは他の固定媒体を直ちに設置し、覆うことができる。板を形成する距離が比較的小さく、しかも均一な厚さなので、床の構築のための能力要件は低い。これによりコンクリートのならしを簡単に行うことができる。コンクリートのためのセメントも、畳んだコンテナ殻内で輸送することができる。コンクリートは、また、容易に汚れを取り除き、清浄にすることができる床を提供し、これは病院のための使用では不可欠である。
【００５５】
図２０は、搬送用コンテナの上側フレーム１０００Ｂを示す。上側フレーム１０００Ｂは、上側端部区画構造部材１０９２、１０９３に接続される上側区画構造部材１０９１、１０９４と、上側区画交互配置ガイド柱１０５２の上側標準ＩＳＯコーナー１０５３とからなる。構造的なサービスダクトサポート１０９５は、構造的なサポートを提供するために、上側区画構造部材１０９１、１０９４間に離間して位置する。下側上側区画構造部材１０９７、１０９８は、上側区画構造部材１０９１、１０９２、１０９３、１０９４の下に離間して延在する。構造的なサービスダクトサポート１０９９は、さらなる構造的一体性を上側フレーム１０００Ｂに提供するために、上側区画構造部材１０９１、１０９４間に延在する。下側上側区画構造部材１０９７、１０９８から下がることによって、定位置にあるドアポストスピゴット１０９６は、ドアがその下に取り付けられ支持される位置に定置される。上側フレーム１０００Ｂは、図１９の圧縮プレート１０１７と同様にフォークリフト支持圧縮プレート（図示せず）を含むことができる。これらの圧縮プレートは中空でフォークリフトのフォークを収容し、建築構造を設置する場合、上側フレームが持ち上げられて定位置になることができる。
【００５６】
図２１および２２は、拡張可能な柱１０５０の態様を示す。柱は、標準的なＩＳＯコーナー１０５４によって、その基部で側部梁１０１１に取り付けられる。柱１０５０は、３つの伸縮式の中空の交互配置するガイド柱１０５１、１０５５および１０６２からなる。下側区画交互配置ガイド柱１０５１は、その下側端部で標準的なＩＳＯコーナーに接続される。中央区画交互配置ガイド柱１０５５の直径は、交互配置ガイド柱１０５１と１０５２との両方より小さい直径で、中央区画交互配置ガイド柱１０５５は、交互配置ガイド柱１０５１、１０５２内で伸縮することができ、コンテナが保管および輸送状態のときには、中央区画交互配置ガイド柱１０５５は、交互配置ガイド柱１０５１、１０５２内に完全に包囲される。上側交互配置ガイド柱１０５２は、上側の標準的なＩＳＯコーナー１０５３に取り付けられ、設置されていない状態で、上側区画交互配置ガイド柱１０５２の部品が下側区画交互配置ガイド柱１０５１内に嵌合するように、下側区画交互配置ガイド柱１０５１までより小さい直径とすることができる。
【００５７】
標準的なＩＳＯコーナー１０５３、１０５４は、持ち上げ点として作用することができる穴１０５６、１０５７を含み、これにより、交互配置ガイド柱１０５２、１０５５を上げることができ、下側区画交互配置ガイド柱１０５１に対して下がる。
【００５８】
図２３は、設置されたコンテナの部分断面図を示す。床梁１０１６上に支持された床Ｆは、下側壁パネル１０６３、サービスダクトサポート１７０５、上側壁パネル／窓１０６７を支持する側部梁１０１０に固定され、そのすべてが側壁１０６０一部を形成することが示される。輸送の間、締結具１７１６によって側壁１０６０に締結された側面パネル１０６１は、コンテナが一旦設置され、組み立てられたときに、幌として使用され、または延長した軒として、またはシャッターとして使用される。側面パネル１０６１は、輸送の間、ショックアブソーバーとして、およびブレースとしても作用する。シーリングパネル１７２０は、壁パネル／窓１０６７の頂部から、角部の内側張り出し１７１５を介して、横断方向に延在し壁パネル／窓１０６７の頂に接続され、屋根１０４０の下に置かれる。シーリングパネル１７２０と屋根１０４０との間にエアギャップが存在し、これは空調システムの一部として使用され、接続することができる。
【００５９】
図２４および図２４Ａは、輸送する容易ができている梱包されたコンテナ２４００（側面パネルを取り除いている）を示す。コンテナ２４００は、床基部２４０１、屋根区画２４０２Ａ、および２４０２Ｂ、さらに壁／屋根区画２４０３、および２４０４、ならびに柱２４０５からなる。図２４Ｂは、部分的に組み立てられたコンテナ２４００を示し、ここで屋根区画は、柱２４０５を調節することによって基部２４０１に対してさらに上げられる。図２４Ｃは、完全に設置した状態の、利用する用意ができ、完了したコンテナを示す。図２４Ｄは、建築構造を形成するように隣り合って結合した２つのコンテナ２４００、２４１０の面積と等しい面積の建築構造を示す。図２４Ｅおよび２４Ｆは、屋根付きの通路２４２０によってともに結合した、組み立てられた２つのコンテナ２４００、２４１０を示す。図２４Ｅで見られるようなより低い、持ち上げられていない位置では、屋根、軒、およびその他の屋根および天井に関する構成要素および結合具は、組み立ての容易さ、労働衛生、および安全要件のためである。図２４Ｇおよび２４Ｉは、２つの階を有し、８つの搬送用コンテナと面積が等しい建築構造２４３０を示す。図２４Ｈは、３つの搬送用コンテナと面積が等しい建築構造２４４０を示す。図２４Ｊおよび２４Ｋは、準備完了の状態のコンテナ２４００を示し、輸送するための構成は、床基部２４０１Ａ、２４０１Ｂ、屋根区画２４０２Ａ、２４０２Ｂ、柱２４０５および壁パネル区画２４０６、２４０７、２４０８、２４０９を示す。１つのコンテナは、少なくとも２つの搬送用コンテナと床面積が同等な建築構造を構築するための十分な構成要素を含んでいると予想される。
【００６０】
図２５および２５Ａは、輸送する用意ができている（側面パネルが外してある）梱包されたコンテナ２５００を示す。コンテナ２５００は、床基部２５０１Ａ、２５０１Ｂ、屋根区画２５０２Ａ、２５０２Ｂ、さらなる壁／屋根区画２５０３、２５０４および柱２５０５からなる。図２５Ｂは、部分的に組み立てられたコンテナ２５００を示し、屋根区画は、基部に対して柱２４０５を調節することによってこれから上げられる。図２５Ｃは、完全に設置された状態の使用準備の整った完成したコンテナ２５００を示す。図２５Ｄは、形成され、８つの搬送用コンテナと等しい面積の建築構造２５２０を示す。
【００６１】
図２６および２６Ａは、輸送する準備が整っている（側面パネルが外してある）、梱包したコンテナ２６００を示す。コンテナ２６００は、床基部２６０１、屋根区画２６０２Ａ、２６０２Ｂ、さらに壁部／屋根区画２６０３、２６０４および柱２６０５からなる。図２６Ｂおよび２６Ｃは、設置した状態のコンテナ２６００の分解組立て図を示す。図２６Ｄは、部分的に組み立てられたコンテナ２６００を示し、ここで、柱を調節することによって、基部に対して、屋根区画はこれから上げられる。図２６Ｅは、使用する準備が整っており完成した、完全に設置した状態のコンテナを示す。図２６Ｆは、形成され、４つの搬送用コンテナの床面積と等しい面積の建築構造２６２０を示す。図２６Ｇおよび２６Ｈは、形成され、４つの搬送用コンテナと等しい面積と、屋根付きの通路／屋根を有する建築構造２６３０を示す。
【００６２】
図２７および２７Ａは、コンテナ２７００を、２つの搬送用コンテナを組み合わせた床面積と少なくとも等しい面積の建築構造を構築するために必要とされる重要な構成要素を識別するキットの形態で示す。キットは床基部２７０１Ａ、２７０１Ｂ、２７０１Ｃ、２７０１Ｄ、屋根区画２７０２Ａ、２７０２Ｂ、柱２７０５、中央屋根パネル２７０６、２７０７、追加柱２７０８、および軒パネル２７０９、２７１０を含む。
【００６３】
図２８および２８Ａはコンテナ２８００を層状の概略的形態で示し、２つの搬送用コンテナを組み合わせた床面積と少なくとも等しい面積の建築構造を構築するために必要とされる重要な構成要素を識別する。キットは、床基部２８０１Ａ、２８０１Ｂ、２８０１Ｃ、２８０１Ｄ、２８０１Ｅ、２８０１Ｆ、２８０１Ｇ、屋根区画２８０２Ａ、２８０２Ｂ、２８０２Ｃ、２８０２Ｄ、柱２８０５、中央屋根パネル２８０６、２８０７、追加柱２８０８、および軒パネル２８０９を含む。
【００６４】
柱は柱の間の梁を支持する水平の鋼製チャネルを含む場合がある。梁は、コンクリート、鋼、木材または同様の、上の階の負荷などの負荷を受け、支持するように適合される適切な材料とすることができる。
【００６５】
床にコンクリートで固められた後は、フォークリフトポケットは、サービスの運送のために使用することができる。
【００６６】
上側および下側フレーム部品は、現在既知の方法で存在しているシーケンスの混乱を除くために一緒に配送することができる。
【００６７】
組み立てられていない部品はフレーム上で輸送することができ、そのためこれらは仕向地で組み立てることができ、したがって、より大きい床面積および屋根面積の輸送が可能になる。
【００６８】
クラッディングまたは煉瓦造りなどの高品質の外装仕上げも、より伝統的な外観を作り出すために、据え付けることができる。屋根タイルまたは煉瓦などの塗料および／または手触りのパターンも、鋼製パネルの中に印刷することができる。内部壁も、断熱材、プラスチックボード、および塗料を含んで、容易に構築することができる。
【００６９】
より幅広い建物が望ましい場合、追加的な建て増し区画を屋根および床の上に据え付けて、２つのハウジングモジュールを両側に接続してもよい。
【００７０】
ダブルガレージを迅速に安価に構築するために、ビルディングユニットを使用してもよい。
【００７１】
多層の建物も予想されており、他の建物殻の上に建物殻を設置することができる。２階のコンクリート（または他の媒体）床の建設のためにコンクリート区画にフロアパンを据え付けることができ、これはまた耐火基準品とすることができる。
【００７２】
任意の既存の建物の形式を模倣することができる。軒、谷部、寄棟、および他の伝統的な建物の特徴がシステムの中に設計される。
【００７３】
建築業者は、プロジェクトを、現在は存在する天候の制約なしにプログラムすることができる。これは、労働力と資本金の効率を最大化することになり、進歩は悪天候により制限されないので、これはより安定したキャッシュフローを作り出すことになり、より安定し、かつより予測可能な建設業界を作り出す。
【００７４】
２０１１年に、プレハブ住宅市場はアメリカ単独でも１８５，０００ユニットを生産し、これは８０〜６０億米ドルの価値であった。これは大きい市場であり、この方法は建物殻のコストを著しく減少し、より効率的で手頃な住宅を供給することによって、産業界に潜在的に革命をもたらすであろう。
【００７５】
建築設計の万能性は、住居、保存ユニット、小屋、ガレージ、および、緊急避難のための建物、公共または商用利用を含むがこれに限らない、異なる用途のための、多数の建物を作製するために、発明のシステムを使用できるようにする。
【００７６】
新しい発明の建物システムは、可搬式／モジュール式建築物に対して多くの用途を有し、かかる建物の主たる使用は、鉱工業キャンプの宿泊設備である。
【００７７】
モジュール式の建物産業は誕生してから５年未満であり、数多くの開発を受け、経時的により高い効率につながった。しかしながら、またさらに効率的で、有用な製品のニーズがある。ポータブルハウジング宿泊設備の建築および輸送のための新しい発明のシステムは、既存のシステムと比較して、数多くの利点と改善点を有する。提案される発明のシステムは、生産の正味コストの著しい減少を有し、現在利用可能なシステムの問題を解決する。
【００７８】
この製品は現場で必要なセットアップは最低限であり、完全に完了した内部フィッティングおよびサービスを有する。畳んだ建物殻は、単純に定置すること、設置して中央パネルを挿入することを必要とし、これらには最低限の時間を要する。
【００７９】
発明のシステムは、すべてのサービスに対して容易なアクセスを可能にし、アップグレード、テスト、および必要に応じていつでも修理できる。
【００８０】
発明のシステムは、労働衛生および安全の問題に対処し、建設中の人員が怪我をする危険を減らす。これは安全を考慮して完全に設計されたためである。
【００８１】
発明システムは、ＩＳＯ搬送用コンテナに関してフォーマットされ、容易に移送され、容易に利用可能な機器を使用し設置される。
【００８２】
必要とされる保存空間は、５０％減少し、輸送コストも最高５０％以上減少し、これらは相当なコストの優位性である。さらに、２倍ものユニットが同じ量の時間の間に送達される。
【００８３】
製造プロセスが設計されてきていて、異なるコンポーネントは異なる現場で構築される場合があり、サービスは、地域の行政の基準、例えば、配線の色、配管管などに従って設置することができる。サービスおよびアメニティーの設置は最終的な組立の段階で行われることになる。
【００８４】
屋根付きの通路およびバルコニーを設計に含むことができる。
【００８５】
発明のシステムは、鉱工業および軍の宿泊設備、ならびに緊急避難所のために使用することができ、重量が軽く、輸送機から空中を落下することができる。
【００８６】
燃料および輸送コストが概して低減されるので、発明のシステムは、現在のシステムより「環境にやさしい」ものであり、カーボンクレジットに適格であろう。
【００８７】
発明のシステムは、自動車産業で使用されているのと同様な方法により大量生産するように設計されている。
【００８８】
つぎの５年間にわたり、数百万人の鉱工業従事者のために宿泊設備が必要になると予測されている。
【００８９】
サービスダクトの水平な設置場所は、サービスが必要とされる高さ、すなわち約９００ｍｍのベンチ高さ、および約１１５０ｍｍの間隔のパネルであり、次いで照明のための別のサービスダクトであり、そして天井ジャンクションの上の上面パネルである。屋根区画は、最後に設置され、従ってパネルを定位置で捕捉し、次いで輸送のために屋根区画を柱へと締結する。
【００９０】
発明のシステムは、輸送するために２つ以上の建物殻を可能とするので、複数の、および個別の建物区画は、ともに連結してより幅広の建築構造を作製する。
【００９１】
完成した建築構造は、傾斜した屋根を有することができ、外観がより良好であり、水および雪は屋根から流れ落ちることができ、換気のためおよび断熱をより効率的にするために屋根と天井との間に空間を設ける。
【００９２】
発明のシステムは、屋根および床にスプレッダピースを利用することができ、これによって、２つ以上の建物殻を一緒に結合して単一の建築構造を形成する場合、完成した建物の全体的な幅を増加する。
【００９３】
輸送されるコンテナ区画の外面を、外壁を完成するために移動した保護パネルで包囲することによって、保護パネルは、ブレーシング構成要素および輸送の間に、道路の表面上のへこみや穴が発生する有害なエネルギー、および輸送中の他の未知の因子を吸収するショック・アブソーバとしての目的を付与する。これらのパネルは、窓およびドアの開口を含むように据え付けられる可能性がある。これは、建物に外殻を提供し、次いで従来の様式で完了する。基部としてのコンクリート床スラブは、建物に質量を与え、落ち着かせるようにする。高層の状況では、コンテナの頂部にコンクリートスラブを追加することができる。
【００９４】
柱も、コンクリートまたは他の適切な材料で頂部から充填することができる。
【００９５】
鋼製の棒などの強化材料も柱の内側に据え付けることができる。したがって完成した建物は、十分な構造的完全性と耐火等級の能力を有するであろう。
【００９６】
発明のシステムは、一般に水平な屋根が付いてくる。保管、輸送、および据付が容易で、必要な場合に数多くのレベルで積み重ねることができる。
【００９７】
発明のシステムは、２段、３段またはそれを超える高さで、トラックまたは台車の上でほぼ完全な状態で輸送することができる（図１０参照）。
【００９８】
発明のシステムは、予め認証を受け、世界中のすべての地域に合うように容易に適合することができる。
【００９９】
発明のシステムは、すべて完成した内部の適合およびサービスを有し、最低限の現場セットアップのみを要する。発明のシステムは、単純に定置し、設置し、中央パネルを挿入して、試運転時間を低減してコストを削減する。
【０１００】
発明のシステムは、すべてのサービスについて容易にアクセスすることができ、必要な場合アップグレード、テスト、および修理をいつでも行うことができる。
【０１０１】
製造プロセスは、異なる構成要素は、異なる現場で構築してもよいよう設計されており、サービスは、例えば、配線の色や配管など、地域の行政の基準に応じて、据え付けることができ、サービスおよびアメニティーの据付は、最終組み立ての段階で行う。
【０１０２】
屋根付きの通路とバルコニーは、側面パネルを用いて設計に加えることができる。
【０１０３】
製品は、鉱工業および軍の宿泊設備、ならびに緊急避難として使用することができる。これは十分軽いので、輸送機から空中で落下させることができる。
【０１０４】
発明のシステムは、自動車産業で使用されているのと同様な方法により大量生産するように設計されている。市場にはこの種類のものはまったくない。
【０１０５】
軒の張り出し、谷部パネル、および必要とされる場合がある他の区画を建物に据え付けることができる。
【０１０６】
利点
ａ）小型の建物を容易に輸送し目的地で拡張することができる高さ調節可能な搬送用コンテナが提供される。
ｂ）複数のコンテナを一緒に位置させて、単一のコンテナより大きい部屋を提供する。
ｃ）コンテナの外側パネルは、コンテナ内に梱包するか、または小型化しているときの位置から、拡張したときに別の位置へと動かすかのいずれかである。
ｄ）宿泊設備を提供する正味コストの著しい低減。
ｅ）ＩＳＯに準拠してフォーマットした搬送用コンテナ設計。
ｆ）複数のコンテナを相互に積み上げて高層を作製することができる。
ｇ）住居、物置、小屋、ガレージ、および緊急避難用の建物、公共または商業用の使用を含むがこれに限らない、異なる用途に使用することができる。
ｈ）必要な保管スペースが少なくとも約５０％減少するので、輸送するコストも最高５０％減少する。
ｉ）同じ時間の間に、２倍もの数のコンテナを送達することができる。
【０１０７】
変形形態
当然のことながら、上述のものは本発明の例示的な実施例として与えられたものであり、これに対する、すべてのかかる、および他の改良形態および変形形態は、当業者には明らかである通り、以上に説明された本発明の広い範囲および領域に含まれるものとみなされる。
【符号の説明】
【０１０８】
１０００  コンテナ
１０００Ａ  下側区画
１０００Ｂ  上側区画
１００１  畳んだコンテナ−輸送配設
１００２  畳んだコンテナ−輸送配設
１００３  畳んだコンテナ−輸送配設
１００４  畳んだコンテナ−輸送配設
１００５  畳んだコンテナ−輸送配設
１００６  畳んだコンテナ−輸送配設
１０１０  シャーシ
１０１１  下側区画−側部梁
１０１２  下側区画−端部梁
１０１３  フォークリフトポケット開口部
１０１４  下側区画−側部梁
１０１５  下側区画−端部梁
１０１６  床梁
１０１７  フォークリフトポケット＊補償プレート
１０３０  端部壁
１０３１  端部壁パネル−下側固定
１０３２  端部壁パネル−取り外し可
１０３３  側壁パネル−上側（固定）
１０４０  屋根
１０４１  屋根スキン
１０４２  屋根スキン
１０５０  レール／柱
１０５１  交互配置ガイドレール／柱−下側区画
１０５２  交互配置ガイドレール／柱−上側区画
１０５３  標準的なＩＳＯコーナー
１０５４  標準的なＩＳＯコーナー
１０５５  交互配置ガイドレール−中央区画
１０５６  標準的なＩＳＯコーナー頂部開口部
１０５７  標準的なＩＳＯコーナー側部開口部
１０６０  側壁
１０６１  側面パネル／幌
１０６２  側面パネル／幌
１０６３  側壁パネル固定−断熱（サンドイッチパネル）
１０６４  側壁パネル固定−断熱（サンドイッチパネル）
１０６５  側壁パネル取り外し可−断熱（サンドイッチパネル）
１０６６  ドア
１０６７  側部窓−取り外し可
１０６８  側壁パネル取り外し可−断熱（サンドイッチパネル）
１０６９  通路
１０６９Ａ  通路
１０７０  端部壁
１０８０  側壁
１０８１  側壁パネル取り外し可−断熱（サンドイッチパネル）
１０８２  ドア
１０８３  側壁パネル取り外し可−断熱（サンドイッチパネル）
１０８４  側壁パネル取り外し可−断熱（サンドイッチパネル）
１０８５  通路
１０８５Ａ  通路
１０９１  上側側部区画構造的な角部部材
１０９２  上側端部区画構造的な角部部材
１０９３  上側端部区画構造的な角部部材
１０９４  上側側部区画構造的な角部部材
１０９５  構造的なサービスダクトサポート
１０９６  ドアポストスピゴット
１０９７  構造的なサービスダクト
１０９８  構造的なサービスダクト
１０９９  構造的なサービスダクト
１６００  交互配置ガイドレール−畳んだ−区画
１６６０  交互配置ガイドレール−畳んだ−区画
１７０１  構造的なサービスダクト
１７０２  構造的なサービスダクト
１７０３  ドアポスト
１７０４  ドアポスト
１７０５  構造的なサービスダクトサポート
１７０６  構造的なサービスダクトサポート
１７０７  構造的なサービスダクトサポート
１７０８  構造的なサービスダクトサポート
１７０９  構造的なサービスダクトサポート
１７１０  ドアポスト
１７１１  ドアポスト
１７１２  構造的なサービスダクトサポート
１７１３  構造的なサービスダクトサポート
１７１４  構造的なサービスダクトサポート
１７１５  内側張り出し
１７１６  締結具
１７２０  シーリングパネル
１８０１  内部壁パネル−取り外し可
１８０２  内部壁パネル−取り外し可
１８０３  内部壁パネル−取り外し可
１８０４  内部壁パネル−取り外し可
１８０５  電子レンジ
１８０６  冷蔵庫
１８０７  温水タンク
１８０８  ロッカー
１８０９  水洗トイレ
１８１０  可撓性ドア
２１０１  寝室
２１０２  ラウンジ
２１０３  台所
２１０４  バスルーム
２１１５  トイレ
２３００  配管／ドレイン
２４００  コンテナ
２４０１  床基部
２４０２Ａ  屋根区画
２４０２Ｂ  屋根区画
２４０３  壁／屋根区画
２４０４  壁／屋根区画
２４０５  柱
２４０６  壁パネル
２４０７  壁パネル
２４０８  壁パネル
２４０９  壁パネル
２４１０  コンテナ
２４１１  床基部
２４２０  通路／屋根
２４３０  ２階建て建築構造
２４４０  コンテナ建築構造
２５００  コンテナ
２５０１Ａ  床基部
２５０１Ｂ  床基部
２５０２Ａ  屋根区画
２５０２Ｂ  屋根区画
２５０３  壁／屋根区画
２５０４  壁／屋根区画
２５０５  柱
２５２０  建築構造
２６００  コンテナ
２６０１  床基部
２６０２Ａ  屋根区画
２６０２Ｂ  屋根区画
２６０３  壁／屋根区画
２６０４  壁／屋根区画
２６０５  柱
２６２０  コンテナ建築構造
２６３０  屋根付き通路付きのコンテナ建築構造
２７０１Ａ  床基部
２７０１Ｂ  床基部
２７０１Ｄ  床基部
２７０１Ｇ  床基部
２７０２Ａ  屋根区画
２７０２Ｂ  屋根区画
２７０５  柱
２７０６  中央屋根パネル
２７０７  中央屋根パネル
２７０８  追加柱
２７０９  軒パネル
２７１０  軒パネル
２８０１Ａ  床基部
２８０１Ｂ  床基部
２８０１Ｃ  床基部
２８０１Ｄ  床基部
２８０１Ｅ  床基部
２８０１Ｆ  床基部
２８０１Ｇ  床基部
２８０２Ａ  屋根区画
２８０２Ｂ  屋根区画
２８０２Ｃ  屋根区画
２８０２Ｄ  屋根区画
２８０５  柱
２８０６  中央屋根パネル
２８０７  中央屋根パネル
２８０８  追加柱
２８０９  軒パネル
【図１】
2015513622.tif 000003
【図２】
2015513622.tif 000004
【図３】
2015513622.tif 000005
【図４】
2015513622.tif 000006
【図５】
2015513622.tif 000007
【図６】
2015513622.tif 000008
【図７】
2015513622.tif 000009
【図８】
2015513622.tif 000010
【図９】
2015513622.tif 000011
【図１０】
2015513622.tif 000012
【図１１】
2015513622.tif 000013
【図１２】
2015513622.tif 000014
【図１３】
2015513622.tif 000015
【図１４】
2015513622.tif 000016
【図１５】
2015513622.tif 000017
【図１６】
2015513622.tif 000018
【図１７】
2015513622.tif 000019
【図１８】
2015513622.tif 000020
【図１９】
2015513622.tif 000021
【図２０】
2015513622.tif 000022
【図２１】
2015513622.tif 000023
【図２２】
2015513622.tif 000024
【図２３】
2015513622.tif 000025
【図２４】
2015513622.tif 000026
【図２４Ａ】
2015513622.tif 000027
【図２４Ｃ】
2015513622.tif 000028
【図２４Ｄ】
2015513622.tif 000029
【図２４Ｅ】
2015513622.tif 000030
【図２４Ｆ】
2015513622.tif 000031
【図２４Ｇ】
2015513622.tif 000032
【図２４Ｈ】
2015513622.tif 000033
【図２４Ｉ】
2015513622.tif 000034
【図２４Ｊ】
2015513622.tif 000035
【図２４Ｋ】
2015513622.tif 000036
【図２５】
2015513622.tif 000037
【図２５Ａ】
2015513622.tif 000038
【図２５Ｂ】
2015513622.tif 000039
【図２５Ｃ】
2015513622.tif 000040
【図２５Ｄ】
2015513622.tif 000041
【図２６】
2015513622.tif 000042
【図２６Ａ】
2015513622.tif 000043
【図２６Ｂ】
2015513622.tif 000044
【図２６Ｃ】
2015513622.tif 000045
【図２６Ｄ】
2015513622.tif 000046
【図２６Ｅ】
2015513622.tif 000047
【図２６Ｆ】
2015513622.tif 000048
【図２６Ｇ】
2015513622.tif 000049
【図２６Ｈ】
2015513622.tif 000050
【図２７】
2015513622.tif 000051
【図２７Ａ】
2015513622.tif 000052
【図２８】
2015513622.tif 000053
【図２８Ａ】
2015513622.tif 000054
【手続補正書】
【提出日】平成25年11月15日(2013.11.15)
【手続補正１】
【補正対象書類名】明細書
【補正対象項目名】全文
【補正方法】変更
【補正の内容】
【発明の詳細な説明】
【技術分野】
【０００１】
本発明は、典型的には居住設備および／または鉱業用宿泊設備として使用するための建築構造として使用する、高さ調節可能な搬送用コンテナに関する。
【背景技術】
【０００２】
標準的な搬送用コンテナの搬送の既存の方法の１つの問題は、特にコンテナを何らかの形の宿泊設備または商業的な用途で使用するとき、コンテナ内の空間全体を使い切らない製品の高さと輸送コストにある。このような場合には、コンテナの内部は、しばしばほとんど空であるが、コンテナ内での最終的な住居としての高さは、最大限の高さであるので、輸送コストが高い。
【０００３】
同様に、搬送用コンテナの高さより高い宿泊設備を設けなければならない場合、２つのコンテナであって、一方には床がなく上下に重ねなければならない２つのコンテナとして提供することのみが現実的な選択しである。
【０００４】
先行技術の参照
本明細書で引用した任意の特許または特許出願を含むすべての参考文献は、参照により本明細書に組み込まれる。いずれの参考文献も先行技術を構成するものであると認めるものではない。参考文献の議論は、その著者が何を主張しているかを述べ、出願人は引用した文献の正確さと適切性に異議を申し立てる権利を保有する。ニュージーランドにおいて、または任意の他の国において、いくつかの先行技術の出版物が本明細書で参照され得るが、この参照は、これらのいずれかの文献が当該技術分野の一般的な共通の知識の一部を形成する認めることとはならないことが、明確に理解されよう。
【０００５】
発明の目的
既知の技術のいくつかの欠点および限界を改善し、少なくとも公共に対して有用な選択肢を提供する、高さ調節可能な搬送用コンテナを提供することが本発明の目的である。
【発明の概要】
【０００６】
本明細書に記載する第１の態様では、本発明は、建築構造として使用可能な、高さ調整可能な輸送可能な搬送用コンテナに関し、ここで、輸送可能な拡張可能な搬送用コンテナが、輸送の間、中に最低２つの屋根と２つの床を収容し、輸送可能な拡張可能な搬送用コンテナを建築構造として使用するために拡張するとき、輸送可能な拡張可能な搬送用コンテナが２つの標準的な搬送用コンテナの最小面積を占め、高さ調整可能な搬送用コンテナは、
（ｉ）搬送用コンテナとして高さを下げて輸送することができ、受け取り側において拡張可能であり、縦の角部部材および少なくとも３つの交換可能で移動可能な側壁であって、高さを下げた搬送用コンテナが拡張する間少なくともいくつかの縦の角部部材の長さが拡張し、搬送用コンテナが、少なくとも２つの搬送用コンテナのものと床面積において同等である建築構造を設置するための壁パネル、床、屋根および継手などの構造的構成要素を収容し輸送することができる、角部部材および側壁と、
（ｉｉ）側壁の少なくともいくつかの部分が、拡張の間に高さ調節可能なコンテナの上側部分に取り付けられ、交換可能および移動可能な側壁の少なくともいくつかの他の部分が、拡張の間に高さ調節可能なコンテナの下側部分に取り付けられ、交換可能および移動可能な側壁の下側部分は、建築構成要素、継手、備品などをこの高さより下に収容できるほど実質的に十分高い、側壁の部分と、
（ｉｉｉ）２つの離間する縦の部材の間に延在するように適合される負荷を受ける梁の部分を支持する水平に延在するチャネルを含む縦の部材と、を有し、
コンテナが、拡張していない位置にあるとき、コンテナの高さは、標準的な搬送用コンテナの高さを少なくとも５０％下げた高さであり、そのためコンテナが前記延在した位置にあるとき、コンテナは、居住可能な区域と等しい高さ、または標準的な搬送用コンテナの高さより高い高さであり、設置された側壁は、外壁の全表面積に沿って同軸上に整列して平らな平面的表面を有する外壁を形成することを、さらに特徴とする、方法。
【０００７】
好ましくは、縦の角部部材は、縦のレールまたは柱である。
【０００８】
好ましくは、側壁の少なくともいくつかの部分は、拡張の間、高さ調節可能なコンテナの上側部分に取り付けられる。
【０００９】
好ましくは、側壁の少なくともいくつかの他の部分は、拡張の間、高さ調節可能なコンテナの下側部分に取り付けられる。
【００１０】
好ましくは、側壁の下側部分は、その高さが、その下に家具を収容できるほど実質的に十分高い。
【００１１】
好ましくは、側壁の下側部分は、実質的に０．９メートルの高さである。
【００１２】
好ましくは、側壁の上側部分は、実質的に０．３メートルの高さである。
【００１３】
好ましくは、ユーティリティサービスのためのアクセス点は、上側壁と下側壁との接合部にある。
【００１４】
好ましくは、上側の搬送用コンテナと下側の搬送用コンテナとの間の隙間を埋める壁部の少なくとも一部は、コンテナの拡張部の適所に引っ張って定置される。
【００１５】
好ましくは、輸送の間搬送用コンテナ壁を形成する要素は、拡張後、コンテナ内の別の場所へ移動されてもよい。
【００１６】
好ましくは、搬送用コンテナの頂部表面は、床の面に対して傾斜している。
【００１７】
好ましくは、２つのかかる拡張した頂部表面は、尖った部分のある傾斜した屋根を形成するために、隣り合って定置されてもよい。
【００１８】
好ましくは、搬送用コンテナの床は、注ぐことができる硬化可能な材料を受容するように作用してもよく、かつ硬化可能な材料の強化として作用する要素を含んでもよい。
【００１９】
好ましくは、強化要素は、２つの隣接する拡張した搬送用コンテナの床を通って延在してもよい。
【００２０】
好ましくは、搬送用コンテナの角部部材は伸縮式の部分を含んでもよく、そこでは角部のレール頂部内の任意の係合特徴部がそれぞれの伸縮部の頂部内で実質的に繰り返される。
【００２１】
好ましくは、角部部材は拡張した形態で、縦の負荷を支持する能力を持ち続ける。
【００２２】
好ましくは、拡張可能な縦の部材は、２つの離間する拡張可能な縦の部材の間に延在するように適合される、負荷を受ける梁の一部を支持する、水平方向に延在するチャネルを含む。
【００２３】
好ましくは、床は、設置されていない搬送用コンテナを容易に輸送することができるように、フォークリフトの爪部を受容するように適合され、搬送用コンテナが設置されているとき、サービスダクトとして使用するよう適合される、離間した開口部を含む。
【００２４】
好ましくは、縦角部部材は、開いた断面を有する。
【００２５】
好ましくは、縦の角部部材は、実質的に「Ｌ」字型の断面を有する。
【００２６】
別の態様では、本明細書で記載されるように、本発明は、建築構造として使用するための輸送可能な拡張可能な搬送用コンテナの製造方法に関し、輸送可能な拡張可能な搬送用コンテナが、輸送の間、中に最低２つの屋根と２つの床を収容し、輸送可能な拡張可能な搬送用コンテナを建築構造として使用するために拡張するとき、輸送可能な拡張可能な搬送用コンテナが２つの標準的な搬送用コンテナの最小面積を占め、本方法は、
（ｉ）コンテナ基部と縦の部材とを提供するステップであって、基部に取り付けることができるように適合されかつコンテナの梱包された高さ未満に延在するように適合される少なくとも１つの第１の縦の壁部分を提供し、少なくとも１つの位置において縦の部材の上側部分に固定される上側表面を提供し、上側表面から第１の縦の壁部分に向かって延在するように適合される少なくとも１つの第２の縦の壁部分を提供し、縦の部材が、２つの離間した縦の部材の間に延在するように適合される負荷を受ける梁の部分を支持する水平に延在するチャネルを有する、ステップと
（ｉｉ）部材を拡張した位置へと延在するステップと、
（ｉｉｉ）拡張の間、少なくともいくつかの交換可能かつ移動可能な側壁の部分を高さ調節可能なコンテナの上側部分に取り付けるステップと、
（ｉｖ）拡張の間交換可能かつ移動可能な側壁の少なくともいくつかの他の部分を高さ調節可能なコンテナの下側部分に取り付けるステップであって、これによって側壁の下側部分が建築構成要素、継手、および備品をその高さより下に収容できるほど実質的に十分高くなる、ステップと、を含み、
コンテナが、拡張されていない位置にあるとき、コンテナの高さは、標準的な搬送用コンテナの高さを少なくとも５０％下げた高さであり、記コンテナが延在した位置にあるとき、コンテナは、居住可能な区域と等しい高さ、または標準的な搬送用コンテナの高さより高い高さであり、設置された側壁は、外壁の全表面積に沿って同軸上に整列して平らな平面的表面を有する外壁を形成することを特徴とする、方法。
【００２７】
本明細書に記載するさらなる態様では、本発明は、輸送可能な高さ調節可能な建物として使用可能な搬送用コンテナの輸送、梱包化、および設置のための輸送システムにおいて、輸送可能な拡張可能な搬送用コンテナが輸送モードの間に、輸送可能な拡張可能な搬送用コンテナが、建設モードのときに、輸送可能な拡張可能な搬送用コンテナが、建築構造として使用するように２つの標準搬送用コンテナの最小面積を占めるように、中に最低２つの屋根と２つの床を収容し、輸送モードから建設モードへ変換可能な外部建物殻を含む輸送システムが、輸送モードのとき、外部建物殻は同一の床寸法および搬送用コンテナフォーマットの床面積に収まり、外部建物殻の高さを所望の高さに調節することによって外殻が輸送モードから建設モードへ変換されるように適合されるような高さ調節可能な外部建物殻は、輸送モードのとき、外部建物殻内の内部スペースは、少なくとも２つの搬送用コンテナフォーマットと床面積において同等である建築構造を設置し装備するために必要とされる、建築構成要素、壁パネル、床、屋根の継手、備品などの構造的構成要素を中に含み、外部建物殻は、
ａ）搬送用コンテナとして高さを下げて輸送されてもよく、受け取り側において拡張されてもよい、縦角部部材、および少なくとも３つの交換可能な移動可能な側壁であって、縦角部部材のうちの少なくともいくつかは、高さを下げて搬送用コンテナの拡張の間に長さが拡張する、縦角部部材および側壁と、
ｂ）交換可能および移動可能な側壁の少なくともいくつかの部分が、拡張の間に高さ調節可能なコンテナの上側部分に取り付けられ、交換可能および移動可能な側壁の少なくともいくつかの他の部分が、拡張の間に高さ調節可能なコンテナの下側部分に取り付けられ、側壁の下側部分は、建築構成要素、壁パネル、床、屋根の継手、備品などの構造的構成要素を、輸送モードのときは、この高さより下に、収容するために実質的に十分高く、側壁と、
ｃ）２つの離間する拡張可能な縦の部材の間を延在するように適合される負荷を受ける梁の部分を支持する水平に延在するチャネルを有する拡張可能な縦の部材と、を含み、
輸送システムは、輸送モードのとき、外部建物殻が標準的な搬送用コンテナの少なくとも５０％下げた高さであり、そのため建設モードのとき、外部建物殻が居住可能な区域との高さと等しい高さ、または標準的な搬送用コンテナの高さより高く、設置された側壁が、同軸上に整列して外壁の全表面積に沿った平らな平板状の表面を有する外壁を形成する、輸送システムに関する。
【００２８】
ここで本発明は、添付の図を参照して、例示としてのみ記載される。
【図面の簡単な説明】
【００２９】
【図１】図１は、本発明の第１の好ましい実施形態による高さ調節可能な搬送用コンテナである。
【図２】図２は、拡張した位置にある図１のコンテナである。
【図３】図３は、図１のコンテナの変形である。
【図４】図４は、２つの図３に示すコンテナの組み立てである。
【図５】図５は、コンテナに適したプレハブの床アセンブリである。
【図６】図６は、２つの図３のプレハブの床アセンブリの間のジョイントの詳細である。
【図７】図７は、伸縮式に拡張する縦のコンテナレールの詳細である。
【図８】図８は、小型の宿泊設備コンテナの区画の側面図である。
【図９】図９は、拡張した形態にある図８のコンテナの側面図である。
【図１０】図１０は、本発明の第２の好ましい実施形態による、トラックトレーラー上に置かれた、輸送する用意ができている、畳んだコンテナの斜視図である。
【図１１】図１１は、図１０に示す、畳んだコンテナのうちの１つの斜視図である。
【図１２】図１２は、図１１に示す拡張した形態のコンテナの斜視図である。
【図１３】図１３は、図１２に示すコンテナの端面図である。
【図１４】図１４は、図１２に示すコンテナのさらなる代替の端面図である。
【図１５】図１５は、図１２に示すコンテナの斜視切り取り図である。
【図１６】図１６は、図１５に示すコンテナの上面図である。
【図１７】図１７は、図１２に示すコンテナの下側フレームの斜視図である。
【図１８】図１８は、図１７に示す下側フレームの、側面パネルと床を取り外した斜視図である。
【図１９】図１９は、図１８に示す下側フレームの上面図である。
【図２０】図２０は、図１２に示すコンテナの上側フレームの斜視図である。
【図２１】図２１は、伸縮式の拡張している縦のコンテナ柱の詳細の側面図である。
【図２２】図２２は、図２１に示す柱の下側および上側部分の詳細である。
【図２３】図２３は、図１２に示すコンテナの部分の側面断面図である。
【図２４】図２４は、本発明の第３の好ましい実施形態による梱包された設置されていないコンテナの斜視図である。
【図２４Ａ】図２４Ａは、図２４に示すコンテナの斜視分解図である。
【図２４Ｂ】図２４Ｂは、図２４に示す梱包された設置されていないコンテナの下側部分の斜視図である。
【図２４Ｃ】図２４Ｃは、図２４に示すコンテナの、設置した状態での斜視図である。
【図２４Ｄ】図２４Ｄは、組み立てられた建物の斜視図である。
【図２４Ｅ】図２４Ｅは、図２４に示される２つのコンテナから作り出された更なる部分的に組み立てられた建物の斜視図である。
【図２４Ｆ】図２４Ｆは、図２４Ｅに示す完全に組み立てられてられた建物の斜視図である。
【図２４Ｇ】図２４Ｇは、別の組み立てられた建物の斜視図である。
【図２４Ｈ】図２４Ｈは、別の部分的に組み立てられた建物の斜視図である。
【図２４Ｉ】図２４Ｉは、図２４Ｇに示す完全な状態の建物の斜視図である。
【図２４Ｊ】図２４Ｊは、輸送する準備が整った、コンテナの斜視図である。
【図２４Ｋ】図２４Ｋは、図２４Ｊに示すコンテナの部分的な分解図である。
【図２５】図２５は、本発明の第４の好ましい実施形態による、梱包された設置されていないコンテナの斜視図である。
【図２５Ａ】図２５Ａは、図２５に示すコンテナの斜視分解図である。
【図２５Ｂ】図２５Ｂは、図２５に示す梱包された設置されていないコンテナの下側部分の斜視図である。
【図２５Ｃ】図２５Ｃは、図２５に示す設置した状態のコンテナの斜視図である。
【図２５Ｄ】図２５Ｄは、組み立てられた建物の斜視図である。
【図２６】図２６は、本発明の第５の好ましい実施形態による梱包された設置されていないコンテナの斜視図である。
【図２６Ａ】図２６Ａは、図２６に示すコンテナの斜視図である。
【図２６Ｂ】図２６Ｂは、図２６に示す設置した状態の斜視分解図である。
【図２６Ｃ】図２６Ｃは、図２６に示す設置された状態のコンテナの更なる斜視分解図である。
【図２６Ｄ】図２６Ｄは、梱包された、設置されていないコンテナの図２６に示す下側部分の斜視図である。
【図２６Ｅ】図２６Ｅは、図２６に示すコンテナの設置した状態の斜視図である。
【図２６Ｆ】図２６Ｆは、組み立てられた建物の斜視図である。
【図２６Ｇ】図２６Ｇは、別の部分的に組み立てられた斜視分解図である。
【図２６Ｈ】図２６Ｈは、図２６Ｇに示す完全に組み立てられた建物の斜視図である。
【図２７】図２７は、コンテナのキットの形態の斜視図である。
【図２７Ａ】図２７Ａは、図２７に示すコンテナの分解図である。
【図２８】図２８は、層状の概略的形態のコンテナの斜視図である。
【図２８Ａ】図２８Ａは、図２８に示す、コンテナの分解図である。
【発明を実施するための形態】
【００３０】
下記の記述は、本発明すなわち高さ調節可能な搬送用コンテナの好ましい実施形態に関して発明を記載するものである。これらは発明を純粋に例示するものに過ぎず、本発明はこれらの好ましい実施形態にいかようにも限定されず、本発明の範囲を逸脱せずに可能な変形形態および改造形態が容易に明らかになるであろう。
【００３１】
本発明の建築システムは、住居、屋内ガレージ、機械および農耕具の小屋、緊急時の宿泊設備等に適用可能である。
【００３２】
本発明は、既存のシステムと比較して多くの利点を有する宿泊設備の建設および輸送の新しいシステムに関する。提案するシステムは、生産の純原価の著しい低減を有し、かつ現在利用可能なシステムの問題に対処し、これらを解決する。
【００３３】
概して本発明は、いくつかの建設の場合（例えばガレージ）には数時間ほどの短い時間である場合がある、最低限の時間で送達され、設置される外部建物殻に関する。建物殻は完全に包囲されているので、建設タイムライン上では天候による制限がない。地域の商業者が内部の据付をおこなうために従事してもよく、従って地域の建設業界を推進し、地域経済を刺激する。これは評議会および行政が望むものである。高度な技術を有する地域の作業者は、技術力の低い作業者、安価な海外経済圏からの作業者より効率的である可能性があり、気象条件は要因とはならないので、これらの地域の作業者は、最適な効率でより多く働くことができることになり、世界規模の市場と比較しても、経済的に競争力を持ち続けている。
【００３４】
発明のシステムは、ＩＳＯ搬送用コンテナ設計の周辺でフォーマットされ、容易に輸送され、容易に入手できる機器を使用して位置付けることができる。建物殻の現場でのセットアップの単純さに起因して、複雑でないプロジェクト用に、必要とされる組み立てを完了するために、技術力の低いセットが必要である。完成した設置された建物は、国際的な山火事に対する建物の規制に適合する。
【００３５】
緊急の宿泊設備の状況では、建物の設置の容易さおよびシステムが完全に包囲されているという特性は、家を失った人々が直ちにシェルターとセキュリティを有することができることを意味する。畳んだコンテナの状態でも、食糧および建物のリソースなどの緊急救援物資を、輸送し、畳んだコンテナの中に保存するために、発明のシステムを、使用することができる。
【００３６】
数多くの個人のコンテナも一緒に接続する可能性を含む、発明のシステムの有能性に起因して、病院、食糧貯蓄施設、または多数の家族による占有のためなどの様々な目的に使用することができる、大きいシェルター状のおよび安全な空間を迅速に作成することが可能である。この後者の使用は、公共生活の感覚も高め、大災害による影響を受けた人々に快適を提供するのを助ける。
【００３７】
建物ユニットを輸送するときにブレーシングとして使用される側面パネルは、設置されたフレームの外殻へと移動して、外壁、窓、およびドア開口の組み合わせを作製することができる。パネル、窓、およびドアは、交換可能であり、所望により数多くの異なるフォーマットを作製することができる。
【００３８】
ここで、発明を例示する図面に移る。
【００３９】
図１は、高さ調節可能な搬送用コンテナ１０１を示し、縦の角部レールは、それぞれの端部のトラッキングポイントおよびリフティングポイント１０２へと延在する。外面の縦壁は、切れ目１０５まで延在し、部分的端部パネル１０３、部分的側面パネル１０４および上面パネルおよび上側面部分的パネル１０６を形成する。
【００４０】
図２は、図１のコンテナの拡張した形態を示し、ここで伸縮式レール１０７は拡張しており、以前はパネル１０３の後ろにあったパネル１１０が適所に引き上げられ、以前はコンテナの内側に窓１０９と共に梱包されていた窓１０８は、拡張によって形成された隙間に定置される。コンテナ内に梱包されていてもよい他のパネルまたはドア、ローラードア、換気装置、テーブル等、などの設備を、拡張したコンテナに適合することができる。照明または配管設備などのさらに他のものが、ディスパッチする前に、コンテナに恒久的に適合されてもよい。
【００４１】
図３は、傾いた上部形成部品による、尖った部分のある傾斜した屋根１１２および端部パネル１１３付きのコンテナ１１１を示す。切れ目１０５は、オフセットであり、それぞれの切断ごとに、異なるパネル嵌合を提供する。典型的には、コンテナ内で必要とされる任意のサービス（配管、電気）は、設置時にサービスおよびテストを容易にすることができるように、ジョイントラインに隣接して位置する。図４は、図３のように、単一のより大きい宿泊設備構造へと拡張する前の互いに背中合わせに置かれた２つのコンテナを示す。様々な壁部は、拡張したときに適所にシフトされてもよく、例えば端部パネル１１３は、もう一方の端部埋めるために移動してもよく、１つの端部は、アクセスのために開放しておく。
【００４２】
代替形態では、２つのコンテナは離間してもよく、間の隙間に橋を渡す部品は、コンテナとともに梱包されていてもよい。これは、例えば、床材と、屋根の換気ブリッジを含んでもよい。
【００４３】
図５は、コンテナ用のフロアパンの図を示し、これは安定になることが意図される。これは縁構造物５０１と強化バー５０２とからなり、コンクリートまたは何らかの他の注ぐことができる硬化可能な材料を、最終的な現場でパンの中に流し込むことができ、コンテナの中に、強化されたコンクリートパッドを生成する。
【００４４】
図６は、図４のように当接し互いに固定されるコンテナを通して強化６０３を運ぶ方法を示し、これにより、縁部レール６０１、および６０２は、隣接し、コンクリートパッドを連続的にしようとした。
【００４５】
図７は、伸縮式ポールの拡張した形態の図を示す。トラッキングおよびリフティングのための係合機能部７０３付きの下側部分７０１は、キャップ７０２を有し、これは部分７０１上をスライドして下がる。係合機能部７０４がスライドして下がり、７０３でこれらと並んだとき、小型化したコンテナを持ち上げることができる。
【００４６】
図８は、宿泊設備コンテナの内部の側面図を示す。外部パネル８０１、８０２は、両者の間に切れ目を有し、コンテナを椅子８０３、シンクおよび蛇口８０４、デスク８０５およびライト８０６、８０７上へ小型化することができるようにする。ライト、ウォールパワー、およびシンクのための、配管、電気、および任意の他のユーティリティサービスは、区域８０８の切れ目のところにある連結点に位置し、コンテナを畳む前およびこれが拡張した後にサービスへのアクセスを提供し得る。これらのサービスは、コンテナ構造物に取り付けられた壁の頂部または底部のチャネル内に位置する場合がある。
【００４７】
かかる宿泊設備に対する切れ目は、好ましくは床から９００ｍｍ上で、高さ３００ｍｍのパネル８０１をともない、２５００ｍｍまたは２９００ｍｍの標準的な高さと比較して１２００ｍｍの小型化したコンテナの高さが与えられる。これは、通常の家具は、小型化したコンテナの中に収容することができることを意味する。
【００４８】
図９は、同一のコンテナの拡張した形態を示し、切れ目は、パネル８１０によって離間される。パネル８１０が最終的に定置される前に、サービスが接続され、例えば、ケーブルによってライト８０６、８０７が区域８０８内の中央接続ボードにソケットまたは接続ブロックによって接続される。これには、コンテナが現場で拡張している間でもアクセスが比較的容易であるという利点がある。
【００４９】
小型化したコンテナがそれでもなお標準的な搬送用コンテナの数値を使用している点が重要であり、これは、場合によっては畳んだ伸縮式のポールが、それでもまだ図３のようにコンテナ化した建物の立ち上がった構造を保持していることを意味する。
【００５０】
図１０は、本発明の搬送用コンテナのトラック輸送を示す。それぞれのコンテナ１００１〜１００６は、畳まれ、標準的な搬送用コンテナと比較するとサイズまたは高さが小さくなっている。それぞれの搬送用コンテナ１００１〜１００６は、すべての構成要素を含む。すなわち、フレーム、壁、パネル、等を含み、鉱工業、宿泊設備および／または商用目的などのための建築構造の設置を必要とする。
【００５１】
図１１は、保管されている、輸送状態にある、搬送用コンテナ１０００を示す。コンテナは、側部梁１０１１と端部梁１０１２付きのシャーシ１０１０を有する。側部梁１０１１は、少なくとも２つの離間するフォークリフトポケット開口部１０１３を有する。側部梁および端部梁１０１１、１０１２は、柱１０５０の基部において低標準ＩＳＯ角部要素１０５４を使用して接続される。柱１０５０は、下側区画交互配置ガイド部品１０５１と、上側区画交互配置ガイド部品１０５２とを含み、上側区画交互配置ガイド部品１０５２はコンテナ１０００の高さを調節できるように下側区画交互配置ガイド部品１０５１内で伸縮し所望場所に輸送するとき、建築構造を形成するために調整することができる。コンテナ１０００は、側壁１０６０、端部壁１０３０および屋根１０４０を有する。柱１０５０は、上位標準ＩＳＯ角部要素１０５３を有する。
【００５２】
図１２および１３は、柱１０５０が完全に延在している設置した状態のコンテナ１０００を示す。設置したコンテナは、端部壁パネル１０３１、１０３２、側壁パネル１０６２、１０６３、１０６４、１０６５、１０６７、１０６８およびドア１０６６、１０８２を有して示される。端部壁パネル１０３１および側壁パネル１０６３、１０６４は、適所に固定されるが、一方で、端部壁パネル１０３２および側壁パネル１０６５、１０６５、１０６７および１０６８は、取り外し可能である。側面パネル１０６１、１０６２が開いて、軒を形成し、幌、またはシェードパネルを形成し、これは、別の隣接するコンテナと接続して通路／ポーチ区域を形成することができる。
【００５３】
図１４は、図１３に示すコンテナ１０００に対する変形を示し、図１４では、配管ドレイン構成要素２３００を、組み立てられ、設置されたコンテナ１０００の床下に含む。好ましくは、配管ドレイン２３００は、コンテナ内で輸送され、コンテナが現場に着いて所望の位置に設置されたら、適所に接続される。
【００５４】
図１５および１６は、組み立てられ、完成したコンテナ１０００の切り欠き図である。コンテナ１０００は、ベッドルーム２１０１、ラウンジエリア２１０２、キッチンエリア２１０３、バスルーム２１０４、およびトイレ２１１５を含んで示される。示される好ましい継手、家電製品、およびアメニティーは、電子レンジ１８０５、冷蔵庫１８０６、温水タンク１８０７、ロッカー１８０８、および水洗トイレ１８０９である。他の継手、家電製品、およびアメニティーは、設置され、完成されたコンテナの使用目的に合うように利用することができるものと推測される。
【００５５】
図１７および図１８は、コンテナの下側フレーム１０００Ａを示す。図１７は、下側フレーム、側面パネル、および端部パネルを定位置で床ＬＡと組み立てた状態で示す。端壁１０３０、１０７０は、端部梁１０１２、１０１５および構造サービスダクトサポート１７０１、１７０８からなり、下側区画交互配置ガイド柱１０５１によって接続され、離間される。側壁１０６０、１０８０は、側部梁１０１１、１０１４を含み、下側区画交互配置ガイド柱１０５１の下側部分に接続される。構造サービスダクトサポート１７０２、１７０５、１７０７、１７０９、１７１２、１７１４は、下側区画交互配置ガイド柱１０５１と縦に延在するドアポスト１７０３、１７０４との組み合わせによってそれぞれ側部梁１０１１、１０１４の上に離間され、構造サービスダクトサポート１７０６、１７１０、１７１１、１７１３は、パネルおよび窓ならびに開口部１０６９Ａ、１０８５Ａ、そしてドアのためのサブフレームを形成して、壁を画定する。上側構造サービスダクトサポート、１７０１、１７０２、１７０５、１７０７、１７０８、１７０９、１７１２、１７１４は、スロット穴を含むことができ、ここに窓と壁パネルとを挿入することができ、締結具等の使用の必要無しに、窓およびパネルは定位置に保持される。
【００５６】
図１９は、コンテナの床Ｆを示す。床は、側部梁１０１１、１０１４および端部梁１０１２、１０１５を含むフレームからなり、端部で柱１０５０の基部に接続する。離間された間隔で側部梁１０１１と１０１４の間は、床梁１０１６が接続される。床フレームの中心から均等に離間して、フォークリフトのフォークを収容するために中空のフォークリフト用の支持圧縮プレート１０１７がある。図１９に示されるように、床Ｆは、設置されていないコンテナに含まれ、組み立てられ、コンテナが降ろされ設置される所望の場所で、地上または杭などの上に設置される。次いで、コンクリートの床を形成するために、セメントなどの注ぐことができる硬化可能な媒体が注がれる。（または、これはコンテナが定位置に置かれる前に行うこともできる）
【００５７】
床を構築するために、強化した鋼がコンテナの内側に固定され、位置付けられ、コンクリートまたは他の固定媒体を直ちに設置し、覆うことができる。板を形成する距離が比較的小さく、しかも均一な厚さなので、床の構築のための能力要件は低い。これによりコンクリートのならしを簡単に行うことができる。コンクリートのためのセメントも、畳んだコンテナ殻内で輸送することができる。コンクリートは、また、容易に汚れを取り除き、清浄にすることができる床を提供し、これは病院のための使用では不可欠である。
【００５８】
図２０は、搬送用コンテナの上側フレーム１０００Ｂを示す。上側フレーム１０００Ｂは、上側端部区画構造部材１０９２、１０９３に接続される上側区画構造部材１０９１、１０９４と、上側区画交互配置ガイド柱１０５２の上側標準ＩＳＯコーナー１０５３とからなる。構造的なサービスダクトサポート１０９５は、構造的なサポートを提供するために、上側区画構造部材１０９１、１０９４間に離間して位置する。下側上側区画構造部材１０９７、１０９８は、上側区画構造部材１０９１、１０９２、１０９３、１０９４の下に離間して延在する。構造的なサービスダクトサポート１０９９は、さらなる構造的一体性を上側フレーム１０００Ｂに提供するために、上側区画構造部材１０９１、１０９４間に延在する。下側上側区画構造部材１０９７、１０９８から下がることによって、定位置にあるドアポストスピゴット１０９６は、ドアがその下に取り付けられ支持される位置に定置される。上側フレーム１０００Ｂは、図１９の圧縮プレート１０１７と同様にフォークリフト支持圧縮プレート（図示せず）を含むことができる。これらの圧縮プレートは中空でフォークリフトのフォークを収容し、建築構造を設置する場合、上側フレームが持ち上げられて定位置になることができる。
【００５９】
図２１および２２は、拡張可能な柱１０５０の態様を示す。柱は、標準的なＩＳＯコーナー１０５４によって、その基部で側部梁１０１１に取り付けられる。柱１０５０は、３つの伸縮式の中空の交互配置するガイド柱１０５１、１０５５および１０６２からなる。下側区画交互配置ガイド柱１０５１は、その下側端部で標準的なＩＳＯコーナーに接続される。中央区画交互配置ガイド柱１０５５の直径は、交互配置ガイド柱１０５１と１０５２との両方より小さい直径で、中央区画交互配置ガイド柱１０５５は、交互配置ガイド柱１０５１、１０５２内で伸縮することができ、コンテナが保管および輸送状態のときには、中央区画交互配置ガイド柱１０５５は、交互配置ガイド柱１０５１、１０５２内に完全に包囲される。上側交互配置ガイド柱１０５２は、上側の標準的なＩＳＯコーナー１０５３に取り付けられ、設置されていない状態で、上側区画交互配置ガイド柱１０５２の部品が下側区画交互配置ガイド柱１０５１内に嵌合するように、下側区画交互配置ガイド柱１０５１までより小さい直径とすることができる。
【００６０】
標準的なＩＳＯコーナー１０５３、１０５４は、持ち上げ点として作用することができる穴１０５６、１０５７を含み、これにより、交互配置ガイド柱１０５２、１０５５を上げることができ、下側区画交互配置ガイド柱１０５１に対して下がる。
【００６１】
図２３は、設置されたコンテナの部分断面図を示す。床梁１０１６上に支持された床Ｆは、下側壁パネル１０６３、サービスダクトサポート１７０５、上側壁パネル／窓１０６７を支持する側部梁１０１０に固定され、そのすべてが側壁１０６０一部を形成することが示される。輸送の間、締結具１７１６によって側壁１０６０に締結された側面パネル１０６１は、コンテナが一旦設置され、組み立てられたときに、幌として使用され、または延長した軒として、またはシャッターとして使用される。側面パネル１０６１は、輸送の間、ショックアブソーバーとして、およびブレースとしても作用する。シーリングパネル１７２０は、壁パネル／窓１０６７の頂部から、角部の内側張り出し１７１５を介して、横断方向に延在し壁パネル／窓１０６７の頂に接続され、屋根１０４０の下に置かれる。シーリングパネル１７２０と屋根１０４０との間にエアギャップが存在し、これは空調システムの一部として使用され、接続することができる。
【００６２】
図２４および図２４Ａは、輸送する容易ができている梱包されたコンテナ２４００（側面パネルを取り除いている）を示す。コンテナ２４００は、床基部２４０１、屋根区画２４０２Ａ、および２４０２Ｂ、さらに壁／屋根区画２４０３、および２４０４、ならびに柱２４０５からなる。図２４Ｂは、部分的に組み立てられたコンテナ２４００を示し、ここで屋根区画は、柱２４０５を調節することによって基部２４０１に対してさらに上げられる。図２４Ｃは、完全に設置した状態の、利用する用意ができ、完了したコンテナを示す。図２４Ｄは、建築構造を形成するように隣り合って結合した２つのコンテナ２４００、２４１０の面積と等しい面積の建築構造を示す。図２４Ｅおよび２４Ｆは、屋根付きの通路２４２０によってともに結合した、組み立てられた２つのコンテナ２４００、２４１０を示す。図２４Ｅで見られるようなより低い、持ち上げられていない位置では、屋根、軒、およびその他の屋根および天井に関する構成要素および結合具は、組み立ての容易さ、労働衛生、および安全要件のためである。図２４Ｇおよび２４Ｉは、２つの階を有し、８つの搬送用コンテナと面積が等しい建築構造２４３０を示す。図２４Ｈは、３つの搬送用コンテナと面積が等しい建築構造２４４０を示す。図２４Ｊおよび２４Ｋは、準備完了の状態のコンテナ２４００を示し、輸送するための構成は、床基部２４０１Ａ、２４０１Ｂ、屋根区画２４０２Ａ、２４０２Ｂ、柱２４０５および壁パネル区画２４０６、２４０７、２４０８、２４０９を示す。１つのコンテナは、少なくとも２つの搬送用コンテナと床面積が同等な建築構造を構築するための十分な構成要素を含んでいると予想される。
【００６３】
図２５および２５Ａは、輸送する用意ができている（側面パネルが外してある）梱包されたコンテナ２５００を示す。コンテナ２５００は、床基部２５０１Ａ、２５０１Ｂ、屋根区画２５０２Ａ、２５０２Ｂ、さらなる壁／屋根区画２５０３、２５０４および柱２５０５からなる。図２５Ｂは、部分的に組み立てられたコンテナ２５００を示し、屋根区画は、基部に対して柱２４０５を調節することによってこれから上げられる。図２５Ｃは、完全に設置された状態の使用準備の整った完成したコンテナ２５００を示す。図２５Ｄは、形成され、８つの搬送用コンテナと等しい面積の建築構造２５２０を示す。
【００６４】
図２６および２６Ａは、輸送する準備が整っている（側面パネルが外してある）、梱包したコンテナ２６００を示す。コンテナ２６００は、床基部２６０１、屋根区画２６０２Ａ、２６０２Ｂ、さらに壁部／屋根区画２６０３、２６０４および柱２６０５からなる。図２６Ｂおよび２６Ｃは、設置した状態のコンテナ２６００の分解組立て図を示す。図２６Ｄは、部分的に組み立てられたコンテナ２６００を示し、ここで、柱を調節することによって、基部に対して、屋根区画はこれから上げられる。図２６Ｅは、使用する準備が整っており完成した、完全に設置した状態のコンテナを示す。図２６Ｆは、形成され、４つの搬送用コンテナの床面積と等しい面積の建築構造２６２０を示す。図２６Ｇおよび２６Ｈは、形成され、４つの搬送用コンテナと等しい面積と、屋根付きの通路／屋根を有する建築構造２６３０を示す。
【００６５】
図２７および２７Ａは、コンテナ２７００を、２つの搬送用コンテナを組み合わせた床面積と少なくとも等しい面積の建築構造を構築するために必要とされる重要な構成要素を識別するキットの形態で示す。キットは床基部２７０１Ａ、２７０１Ｂ、２７０１Ｃ、２７０１Ｄ、屋根区画２７０２Ａ、２７０２Ｂ、柱２７０５、中央屋根パネル２７０６、２７０７、追加柱２７０８、および軒パネル２７０９、２７１０を含む。
【００６６】
図２８および２８Ａはコンテナ２８００を層状の概略的形態で示し、２つの搬送用コンテナを組み合わせた床面積と少なくとも等しい面積の建築構造を構築するために必要とされる重要な構成要素を識別する。キットは、床基部２８０１Ａ、２８０１Ｂ、２８０１Ｃ、２８０１Ｄ、２８０１Ｅ、２８０１Ｆ、２８０１Ｇ、屋根区画２８０２Ａ、２８０２Ｂ、２８０２Ｃ、２８０２Ｄ、柱２８０５、中央屋根パネル２８０６、２８０７、追加柱２８０８、および軒パネル２８０９を含む。
【００６７】
柱は柱の間の梁を支持する水平の鋼製チャネルを含む場合がある。梁は、コンクリート、鋼、木材または同様の、上の階の負荷などの負荷を受け、支持するように適合される適切な材料とすることができる。
【００６８】
床にコンクリートで固められた後は、フォークリフトポケットは、サービスの運送のために使用することができる。
【００６９】
上側および下側フレーム部品は、現在既知の方法で存在しているシーケンスの混乱を除くために一緒に配送することができる。
【００７０】
組み立てられていない部品はフレーム上で輸送することができ、そのためこれらは仕向地で組み立てることができ、したがって、より大きい床面積および屋根面積の輸送が可能になる。
【００７１】
クラッディングまたは煉瓦造りなどの高品質の外装仕上げも、より伝統的な外観を作り出すために、据え付けることができる。屋根タイルまたは煉瓦などの塗料および／または手触りのパターンも、鋼製パネルの中に印刷することができる。内部壁も、断熱材、プラスチックボード、および塗料を含んで、容易に構築することができる。
【００７２】
より幅広い建物が望ましい場合、追加的な建て増し区画を屋根および床の上に据え付けて、２つのハウジングモジュールを両側に接続してもよい。
【００７３】
ダブルガレージを迅速に安価に構築するために、ビルディングユニットを使用してもよい。
【００７４】
多層の建物も予想されており、他の建物殻の上に建物殻を設置することができる。２階のコンクリート（または他の媒体）床の建設のためにコンクリート区画にフロアパンを据え付けることができ、これはまた耐火基準品とすることができる。
【００７５】
任意の既存の建物の形式を模倣することができる。軒、谷部、寄棟、および他の伝統的な建物の特徴がシステムの中に設計される。
【００７６】
建築業者は、プロジェクトを、現在は存在する天候の制約なしにプログラムすることができる。これは、労働力と資本金の効率を最大化することになり、進歩は悪天候により制限されないので、これはより安定したキャッシュフローを作り出すことになり、より安定し、かつより予測可能な建設業界を作り出す。
【００７７】
２０１１年に、プレハブ住宅市場はアメリカ単独でも１８５，０００ユニットを生産し、これは８０〜６０億米ドルの価値であった。これは大きい市場であり、この方法は建物殻のコストを著しく減少し、より効率的で手頃な住宅を供給することによって、産業界に潜在的に革命をもたらすであろう。
【００７８】
建築設計の万能性は、住居、保存ユニット、小屋、ガレージ、および、緊急避難のための建物、公共または商用利用を含むがこれに限らない、異なる用途のための、多数の建物を作製するために、発明のシステムを使用できるようにする。
【００７９】
新しい発明の建物システムは、可搬式／モジュール式建築物に対して多くの用途を有し、かかる建物の主たる使用は、鉱工業キャンプの宿泊設備である。
【００８０】
モジュール式の建物産業は誕生してから５年未満であり、数多くの開発を受け、経時的により高い効率につながった。しかしながら、またさらに効率的で、有用な製品のニーズがある。ポータブルハウジング宿泊設備の建築および輸送のための新しい発明のシステムは、既存のシステムと比較して、数多くの利点と改善点を有する。提案される発明のシステムは、生産の正味コストの著しい減少を有し、現在利用可能なシステムの問題を解決する。
【００８１】
この製品は現場で必要なセットアップは最低限であり、完全に完了した内部フィッティングおよびサービスを有する。畳んだ建物殻は、単純に定置すること、設置して中央パネルを挿入することを必要とし、これらには最低限の時間を要する。
【００８２】
発明のシステムは、すべてのサービスに対して容易なアクセスを可能にし、アップグレード、テスト、および必要に応じていつでも修理できる。
【００８３】
発明のシステムは、労働衛生および安全の問題に対処し、建設中の人員が怪我をする危険を減らす。これは安全を考慮して完全に設計されたためである。
【００８４】
発明システムは、ＩＳＯ搬送用コンテナに関してフォーマットされ、容易に移送され、容易に利用可能な機器を使用し設置される。
【００８５】
必要とされる保存空間は、５０％減少し、輸送コストも最高５０％以上減少し、これらは相当なコストの優位性である。さらに、２倍ものユニットが同じ量の時間の間に送達される。
【００８６】
製造プロセスが設計されてきていて、異なるコンポーネントは異なる現場で構築される場合があり、サービスは、地域の行政の基準、例えば、配線の色、配管管などに従って設置することができる。サービスおよびアメニティーの設置は最終的なの組立の段階で行われることになる。
【００８７】
屋根付きの通路およびバルコニーを設計に含むことができる。
【００８８】
発明のシステムは、鉱工業および軍の宿泊設備、ならびに緊急避難所のために使用することができ、重量が軽く、輸送機から空中を落下することができる。
【００８９】
燃料および輸送コストが概して低減されるので、発明のシステムは、現在のシステムより「環境にやさしい」ものであり、カーボンクレジットに適格であろう。
【００９０】
発明のシステムは、自動車産業で使用されているのと同様な方法により大量生産するように設計されている。
【００９１】
つぎの５年間にわたり、数百万人の鉱工業従事者のために宿泊設備が必要になると予測されている。
【００９２】
サービスダクトの水平な設置場所は、サービスが必要とされる高さ、すなわち約９００ｍｍのベンチ高さ、および約１１５０ｍｍの間隔のパネルであり、次いで照明のための別のサービスダクトであり、そして天井ジャンクションの上の上面パネルである。屋根区画は、最後に設置され、従ってパネルを定位置で捕捉し、次いで輸送のために屋根区画を柱へと締結する。
【００９３】
発明のシステムは、輸送するために２つ以上の建物殻を可能とするので、複数の、および個別の建物区画は、ともに連結してより幅広の建築構造を作製する。
【００９４】
完成した建築構造は、傾斜した屋根を有することができ、外観がより良好であり、水および雪は屋根から流れ落ちることができ、換気のためおよび断熱をより効率的にするために屋根と天井との間に空間を設ける。
【００９５】
発明のシステムは、屋根および床にスプレッダピースを利用することができ、これによって、２つ以上の建物殻を一緒に結合して単一の建築構造を形成する場合、完成した建物の全体的な幅を増加する。
【００９６】
輸送されるコンテナ区画の外面を、外壁を完成するために移動した保護パネルで包囲することによって、保護パネルは、ブレーシング構成要素および輸送の間に、道路の表面上のへこみや穴が発生する有害なエネルギー、および輸送中の他の未知の因子を吸収するショック・アブソーバとしての目的を付与する。これらのパネルは、窓およびドアの開口を含むように据え付けられる可能性がある。これは、建物に外殻を提供し、次いで従来の様式で完了する。基部としてのコンクリート床スラブは、建物に質量を与え、落ち着かせるようにする。高層の状況では、コンテナの頂部にコンクリートスラブを追加することができる。
【００９７】
柱も、コンクリートまたは他の適切な材料で頂部から充填することができる。
【００９８】
鋼製の棒などの強化材料も柱の内側に据え付けることができる。したがって完成した建物は、十分な構造的完全性と耐火等級の能力を有するであろう。
【００９９】
発明のシステムは、一般に水平な屋根が付いてくる。保管、輸送、および据付が容易で、必要な場合に数多くのレベルで積み重ねることができる。
【０１００】
発明のシステムは、２段、３段またはそれを超える高さで、トラックまたは台車の上でほぼ完全な状態で輸送することができる（図１０参照）。
【０１０１】
発明のシステムは、予め認証を受け、世界中のすべての地域に合うように容易に適合することができる。
【０１０２】
発明のシステムは、すべて完成した内部の適合およびサービスを有し、最低限の現場セットアップのみを要する。発明のシステムは、単純に定置し、設置し、中央パネルを挿入して、試運転時間を低減してコストを削減する。
【０１０３】
発明のシステムは、すべてのサービスについて容易にアクセスすることができ、必要な場合アップグレード、テスト、および修理をいつでも行うことができる。
【０１０４】
製造プロセスは、異なる構成要素は、異なる現場で構築してもよいよう設計されており、サービスは、例えば、配線の色や配管など、地域の行政の基準に応じて、据え付けることができ、サービスおよびアメニティーの据付は、最終組み立ての段階で行う。
【０１０５】
屋根付きの通路とバルコニーは、側面パネルを用いて設計に加えることができる。
【０１０６】
製品は、鉱工業および軍の宿泊設備、ならびに緊急避難として使用することができる。これは十分軽いので、輸送機から空中で落下させることができる。
【０１０７】
発明のシステムは、自動車産業で使用されているのと同様な方法により大量生産するように設計されている。市場にはこの種類のものはまったくない。
【０１０８】
軒の張り出し、谷部パネル、および必要とされる場合がある他の区画を建物に据え付けることができる。
【０１０９】
利点
ａ）小型の建物を容易に輸送し目的地で拡張することができる高さ調節可能な搬送用コンテナが提供される。
ｂ）複数のコンテナを一緒に位置させて、単一のコンテナより大きい部屋を提供する。
ｃ）コンテナの外側パネルは、コンテナ内に梱包するか、または小型化しているときの位置から、拡張したときに別の位置へと動かすかのいずれかである。
ｄ）宿泊設備を提供する正味コストの著しい低減。
ｅ）ＩＳＯに準拠してフォーマットした搬送用コンテナ設計。
ｆ）複数のコンテナを相互に積み上げて高層を作製することができる。
ｇ）住居、物置、小屋、ガレージ、および緊急避難用の建物、公共または商業用の使用を含むがこれに限らない、異なる用途に使用することができる。
ｈ）必要な保管スペースが少なくとも約５０％減少するので、輸送するコストも最高５０％減少する。
ｉ）同じ時間の間に、２倍もの数のコンテナを送達することができる。
【０１１０】
変形形態
当然のことながら、上述のものは本発明の例示的な実施例として与えられたものであり、これに対する、すべてのかかる、および他の改良形態および変形形態は、当業者には明らかである通り、以上に説明された本発明の広い範囲および領域に含まれるものとみなされる。
【符号の説明】
【０１１１】
１０００  コンテナ
１０００Ａ  下側区画
１０００Ｂ  上側区画
１００１  畳んだコンテナ−輸送配設
１００２  畳んだコンテナ−輸送配設
１００３  畳んだコンテナ−輸送配設
１００４  畳んだコンテナ−輸送配設
１００５  畳んだコンテナ−輸送配設
１００６  畳んだコンテナ−輸送配設
１０１０  シャーシ
１０１１  下側区画−側部梁
１０１２  下側区画−端部梁
１０１３  フォークリフトポケット開口部
１０１４  下側区画−側部梁
１０１５  下側区画−端部梁
１０１６  床梁
１０１７  フォークリフトポケット＊補償プレート
１０３０  端部壁
１０３１  端部壁パネル−下側固定
１０３２  端部壁パネル−取り外し可
１０３３  側壁パネル−上側（固定）
１０４０  屋根
１０４１  屋根スキン
１０４２  屋根スキン
１０５０  レール／柱
１０５１  交互配置ガイドレール／柱−下側区画
１０５２  交互配置ガイドレール／柱−上側区画
１０５３  標準的なＩＳＯコーナー
１０５４  標準的なＩＳＯコーナー
１０５５  交互配置ガイドレール−中央区画
１０５６  標準的なＩＳＯコーナー頂部開口部
１０５７  標準的なＩＳＯコーナー側部開口部
１０６０  側壁
１０６１  側面パネル／幌
１０６２  側面パネル／幌
１０６３  側壁パネル固定−断熱（サンドイッチパネル）
１０６４  側壁パネル固定−断熱（サンドイッチパネル）
１０６５  側壁パネル取り外し可−断熱（サンドイッチパネル）
１０６６  ドア
１０６７  側部窓−取り外し可
１０６８側壁パネル取り外し可−断熱（サンドイッチパネル）
１０６９  通路
１０６９Ａ  通路
１０７０  端部壁
１０８０  側壁
１０８１  側壁パネル取り外し可−断熱（サンドイッチパネル）
１０８２  ドア
１０８３  側壁パネル取り外し可−断熱（サンドイッチパネル）
１０８４  側壁パネル取り外し可−断熱（サンドイッチパネル）
１０８５  通路
１０８５Ａ  通路
１０９１  上側側部区画構造的な角部部材
１０９２  上側端部区画構造的な角部部材
１０９３  上側端部区画構造的な角部部材
１０９４  上側側部区画構造的な角部部材
１０９５  構造的なサービスダクトサポート
１０９６  ドアポストスピゴット
１０９７  構造的なサービスダクト
１０９８  構造的なサービスダクト
１０９９  構造的なサービスダクト
１６００  交互配置ガイドレール−畳んだ−区画
１６６０  交互配置ガイドレール−畳んだ−区画
１７０１  構造的なサービスダクト
１７０２  構造的なサービスダクト
１７０３  ドアポスト
１７０４  ドアポスト
１７０５  構造的なサービスダクトサポート
１７０６  構造的なサービスダクトサポート
１７０７  構造的なサービスダクトサポート
１７０８  構造的なサービスダクトサポート
１７０９  構造的なサービスダクトサポート
１７１０  ドアポスト
１７１１  ドアポスト
１７１２  構造的なサービスダクトサポート
１７１３  構造的なサービスダクトサポート
１７１４  構造的なサービスダクトサポート
１７１５  内側張り出し
１７１６  締結具
１７２０  シーリングパネル
１８０１  内部壁パネル−取り外し可
１８０２  内部壁パネル−取り外し可
１８０３  内部壁パネル−取り外し可
１８０４  内部壁パネル−取り外し可
１８０５  電子レンジ
１８０６  冷蔵庫
１８０７  温水タンク
１８０８  ロッカー
１８０９  水洗トイレ
１８１０  可撓性ドア
２１０１  寝室
２１０２  ラウンジ
２１０３  台所
２１０４  バスルーム
２１１５  トイレ
２３００  配管／ドレイン
２４００  コンテナ
２４０１  床基部
２４０２Ａ  屋根区画
２４０２Ｂ  屋根区画
２４０３  壁／屋根区画
２４０４  壁／屋根区画
２４０５  柱
２４０６  壁パネル
２４０７  壁パネル
２４０８  壁パネル
２４０９  壁パネル
２４１０  コンテナ
２４１１  床基部
２４２０  通路／屋根
２４３０  ２階建て建築構造
２４４０  コンテナ建築構造
２５００  コンテナ
２５０１Ａ  床基部
２５０１Ｂ  床基部
２５０２Ａ  屋根区画
２５０２Ｂ  屋根区画
２５０３  壁／屋根区画
２５０４  壁／屋根区画
２５０５  柱
２５２０  建築構造
２６００  コンテナ
２６０１  床基部
２６０２Ａ  屋根区画
２６０２Ｂ  屋根区画
２６０３  壁／屋根区画
２６０４  壁／屋根区画
２６０５  柱
２６２０  コンテナ建築構造
２６３０  屋根付き通路付きのコンテナ建築構造
２７０１Ａ  床基部
２７０１Ｂ  床基部
２７０１Ｄ  床基部
２７０１Ｇ  床基部
２７０２Ａ  屋根区画
２７０２Ｂ  屋根区画
２７０５  柱
２７０６  中央屋根パネル
２７０７  中央屋根パネル
２７０８  追加柱
２７０９  軒パネル
２７１０  軒パネル
２８０１Ａ  床基部
２８０１Ｂ  床基部
２８０１Ｃ  床基部
２８０１Ｄ  床基部
２８０１Ｅ  床基部
２８０１Ｆ  床基部
２８０１Ｇ  床基部
２８０２Ａ  屋根区画
２８０２Ｂ  屋根区画
２８０２Ｃ  屋根区画
２８０２Ｄ  屋根区画
２８０５  柱
２８０６  中央屋根パネル
２８０７  中央屋根パネル
２８０８  追加柱
２８０９  軒パネル
【手続補正２】
【補正対象書類名】特許請求の範囲
【補正対象項目名】全文
【補正方法】変更
【補正の内容】
【特許請求の範囲】
【請求項１】
建築構造として使用するための、輸送可能な拡張可能な搬送用コンテナを製造する方法において、前記輸送可能な拡張可能な搬送用コンテナは、輸送の間、最低２つの屋根と２つの床を収容し、前記輸送可能な拡張可能な搬送用コンテナを建築構造として使用するために拡張するとき、前記輸送可能な拡張可能な搬送用コンテナが２つの標準的な搬送用コンテナの最小面積を占め、前記方法は、
（ｉ）コンテナ基部と縦の部材とを提供するステップであって、前記基部に取り付けることができるように適合されかつ前記コンテナの梱包された高さ未満に延在するように適合される少なくとも１つの第１の縦の壁部分を提供し、少なくとも１つの位置において縦の部材の上側部分に固定される上側表面を提供し、前記上側表面から前記第１の縦の壁部分に向かって延在するように適合される少なくとも１つの第２の縦の壁部分を提供し、前記縦の部材が、２つの離間した縦の部材の間に延在するように適合される負荷を受ける梁の一部を支持する水平に延在するチャネルを有する縦の部材を提供する、ステップと
（ｉｉ）前記部材を拡張した位置へと延在するステップと、
（ｉｉｉ）拡張の間、交換可能かつ移動可能な側壁の少なくともいくつかの部分を前記高さ調節可能なコンテナの上側部分に取り付けるステップと、
（ｉｖ）拡張の間前記交換可能かつ移動可能な側壁の少なくとも他のいくつかの部分を前記高さ調節可能なコンテナの前記下側部分に取り付けるステップであって、これによって前記側壁の前記下側部分が建築構成要素、継手、および備品をその高さより下に収容できるほど実質的に十分高くなる、ステップと、を含み、
前記コンテナが、拡張されていない位置にあるとき、前記コンテナの前記高さは、標準的な搬送用コンテナの高さを少なくとも５０％下げた高さであり、前記コンテナが前記延在した位置にあるとき、前記コンテナは、居住可能な区域と等しい高さ、または標準的な搬送用コンテナの高さより高い高さであり、前記設置された側壁は、前記外壁の前記全表面積に沿って同軸上に整列して平らな平面的表面を有する外壁を形成することを特徴とする、方法。
【請求項２】
建築構造として使用可能な、高さ調整可能な輸送可能な搬送用コンテナにおいて、前記輸送可能な拡張可能な搬送用コンテナが、輸送の間、中に最低２つの屋根と２つの床を収容し、前記輸送可能な拡張可能な搬送用コンテナを建築構造として使用するために拡張するとき、前記輸送可能な拡張可能な搬送用コンテナが２つの標準的な搬送用コンテナの最小面積を占め、前記高さ調整可能な搬送用コンテナは、
（ｉ）搬送用コンテナとして高さを下げて輸送することができ、前記受け取り側において拡張してもよい、縦の角部部材および少なくとも３つの交換可能で移動可能な側壁であって、高さを下げた前記搬送用コンテナが拡張する間少なくともいくつかの前記縦の角部部材の長さが拡張し、前記搬送用コンテナが、少なくとも２つの搬送用コンテナのものと床面積において同等である建築構造を設置するための壁パネル、床、屋根および継手などの構造的構成要素を収容し輸送することができる、角部部材および側壁と、
（ｉｉ）前記交換可能および移動可能な側壁の少なくともいくつかの部分が、拡張の間に前記高さ調節可能なコンテナの上側部分に取り付けられ、交換可能および移動可能な側壁の少なくとも他のいくつかの部分が、拡張の間に前記高さ調節可能なコンテナの前記下側部分に取り付けられ、前記側壁の前記下側部分は、建築構成要素、継手、備品などの前記構造的構成要素をこの高さより下に収容できるほど実質的に十分高い、側壁の部分と、
（ｉｉｉ）２つの離間する縦の部材の間に延在するように適合される負荷を受ける梁の一部を支持する水平に延在するチャネルを含む縦の部材と、を有し、
さらに、前記コンテナが、拡張していない位置にあるとき、前記コンテナの前記高さは、標準的な搬送用コンテナの高さを少なくとも５０％下げた高さであり、前記コンテナが前記延在した位置にあるとき、前記コンテナは、居住可能な区域と等しい高さ、または標準的な搬送用コンテナの高さより高い高さであり、前記設置された側壁は、前記外壁の全表面積に沿って同軸上に整列して平らな平面的表面を有する外壁を形成することを特徴とする、方法。
【請求項３】
請求項２に記載の高さ調節可能な搬送用コンテナにおいて、前記縦の部材が、縦のレールまたは柱であることを特徴とする、搬送用コンテナ。
【請求項４】
請求項２または３に記載の高さ調節可能な搬送用コンテナにおいて、前記高さ調節可能な搬送用コンテナが、ユーティリティサービスのためのアクセス点を含み、前記アクセス点が前記上側壁と前記下側壁との接合部に位置することを特徴とする、高さ調節可能な搬送用コンテナ。
【請求項５】
請求項２乃至４の何れか１項に記載の高さ調節可能な搬送用コンテナにおいて、
上側搬送用コンテナ部分と下側搬送用コンテナ部分との間の隙間を埋める壁の少なくとも一部が前記コンテナの拡張時に適所に引っ張り込まれることを特徴とする、高さ調節可能な搬送用コンテナ。
【請求項６】
請求項２乃至７の何れか１項に記載の高さ調節可能な搬送用コンテナにおいて、前記搬送用コンテナが輸送されているとき、前記側面パネルがブレーシングおよびショックアブソーバーとして作用するよう適合されることを特徴とする、高さ調節可能な搬送用コンテナ。
【請求項７】
請求項６に記載の高さ調節可能な搬送用コンテナにおいて、２つのかかる拡張した、傾斜している頂部表面が、尖った部分のある傾斜した屋根を形成するように、隣り合って定置されてもよいことを特徴とする、高さ調節可能な搬送用コンテナ。
【請求項８】
請求項２乃至７の何れか１項に記載の高さ調節可能な搬送用コンテナにおいて、前記搬送用コンテナの前記床は、注ぐことができる硬化可能な材料を受容するように作用してもよく、かつ前記硬化可能な材料のための強化として作用する要素を含んでもよいことを特徴とする、高さ調節可能な搬送用コンテナ。
【請求項９】
請求項８に記載の高さ調節可能な搬送用コンテナにおいて、前記強化要素が、２つの隣接する拡張した搬送用コンテナの床を通って延在してもよいことを特徴とする、高さ調節可能な搬送用コンテナ。
【請求項１０】
請求項２乃至９の何れか１項に記載の高さ調節可能な搬送用コンテナにおいて、前記搬送用コンテナ角部部材が、伸縮式部分を含んでもよく、その中で前記角部レール頂部において、任意の係合機能部が、それぞれの伸縮式部分の前記頂部で実質的に繰り返されることを特徴とする、高さ調節可能な搬送用コンテナ。
【請求項１１】
請求項２乃至１０の何れか１項に記載の高さ調節可能な搬送用コンテナにおいて、
前記拡張した形状であるとき、前記角部部材は、縦の負荷を支持する能力を有したままであることを特徴とする、高さ調節可能な搬送用コンテナ。
【請求項１２】
請求項２に記載の高さ調節可能な搬送用コンテナにおいて、外壁、窓、およびドア開口の組合せを生成するように、前記側面パネルを前記設置されたコンテナの外殻へと移すことができ、これにより、前記パネル、窓、およびドアが交換可能となり、所望により複数の異なる形式を作製することができることを特徴とする、高さ調節可能な搬送用コンテナ。
【請求項１３】
請求項８に記載の高さ調節可能な搬送用コンテナにおいて、前記床が、設置されていない前記搬送用コンテナを容易に輸送することができるように、前記フォークリフトの爪部を受容するように適合され、前記搬送用コンテナが設置されているとき、サービスダクトとして使用するように適合される、離間した開口部を含むことを特徴とする、高さ調節可能な搬送用コンテナ。
【請求項１４】
請求項２に記載の高さ調節可能な搬送用コンテナにおいて、前記縦の角部部材が、開いた断面を有することを特徴とする、高さ調節可能な搬送用コンテナ。
【請求項１５】
請求項２に記載の高さ調節可能な搬送用コンテナにおいて、前記側壁の前記下側部分が、実質的に０．９メートルの高さで、前記側壁の前記上側部分が実質的に０．３メートルの高さであることを特徴とする、高さ調節可能な搬送用コンテナ。
【請求項１６】
請求項２に記載の高さ調節可能な搬送用コンテナにおいて、前記高さ調節可能な搬送用コンテナが、前記床の面に対して傾斜しているコンテナの頂部表面を搬送することを特徴とする、高さ調節可能な搬送用コンテナ。
【請求項１７】
請求項１４に記載の高さ調節可能な搬送用コンテナにおいて、前記縦の角部部材が、実質的に「Ｌ」字型の断面を有することを特徴とする、高さ調節可能な搬送用コンテナ。
【請求項１８】
建物として使用可能な、輸送可能な高さ調節可能な搬送用コンテナの輸送、梱包化、および設置のための輸送システムにおいて、前記輸送可能な拡張可能な搬送用コンテナが輸送モードの間に中に最低２つの屋根と２つの床を収容し、その結果、前記輸送可能な拡張可能な搬送用コンテナが、建築構造として使用するように建設モードのときに、前記輸送可能な拡張可能な搬送用コンテナが、２つの標準搬送用コンテナの最小面積を占め、前記輸送システムが前記輸送モードから前記建設モードへ変換可能な外部建物殻を含み、前記輸送モードのとき、前記外部建物殻は搬送用コンテナフォーマットと同一の床寸法および床面積に収まり、前記外部建物殻は高さが調節可能であり、そのため前記外部建物殻の高さを所望の高さに調節することによって前記外殻が前記輸送モードから前記建設モードへ変換されるように適合され、前記輸送モードのとき、前記外部建物殻内の前記内部スペースは、少なくとも２つの搬送用コンテナフォーマットのものと床面積において同等である建築構造を設置し装備するために必要とされる、建築構成要素、壁パネル、床、屋根の継手、備品などの構造的構成要素を中に含み、前記外部建物殻は、
ａ）搬送用コンテナとして高さを下げて輸送されてもよく、前記受け取り側において拡張されてもよい、縦角部部材、および少なくとも３つの交換可能な移動可能な側壁であって、前記縦角部部材のうちの少なくともいくつかは、前記高さを下げて搬送用コンテナの拡張の間に長さが拡張する、縦角部部材および側壁と、
ｂ）前記交換可能および移動可能な側壁の少なくともいくつかの部分が、拡張の間に前記高さ調節可能なコンテナの上側部分に取り付けられ、交換可能および移動可能な側壁の他の少なくともいくつかの部分が、拡張の間に前記高さ調節可能なコンテナの前記下側部分に取り付けられ、前記側壁の前記下側部分は、建築構成要素、壁パネル、床、屋根の継手、備品などの前記構造的構成要素を収容するために実質的に十分高く、前記輸送モードのときは、この高さ未満であり、
ｃ）２つの離間する拡張可能な縦の部材の間に延在するように適合する負荷を受ける梁の一部を支持するための水平に延在するチャネルを有する、拡張可能な縦の部材とを備え、
前記輸送システムは、前記輸送モードのとき、前記外部建物殻が標準の搬送用コンテナの少なくとも５０％下げた高さとなり、これにより前記建設モードのとき、前記外部建物殻は、居住可能な区域と同じ高さか、前記標準的な搬送用コンテナの高さより高く、前記設置された側壁は、外壁の全面積に沿って平らな平板状の表面を有する外壁を形成するように同軸上に整列されることを特徴とする、輸送システム。
【請求項１９】
請求項１８に記載の輸送システムにおいて、前記側壁の前記下側部分が、実質的に０．９メートルの高さで、前記側壁の前記上側部分が実質的に０．３メートルの高さであることを特徴とする、輸送システム。
【請求項２０】
請求項１８に記載の高さ調節可能な搬送用コンテナにおいて、前記縦の角部部材が、開いた断面を有することを特徴とする、高さ調節可能な搬送用コンテナ。
【請求項２１】
請求項２０に記載の輸送システムにおいて、前記縦の角部部材が、実質的に「Ｌ」字型の断面を有することを特徴とする、輸送システム。
【請求項２２】
請求項１に記載の、建築構造として使用するための輸送可能な拡張可能な搬送用コンテナの製造方法において、前記方法が、輸送の間前記搬送用コンテナ壁を形成する前記要素を、拡張の後前記コンテナの別のところへおよび／または前記コンテナの中へ移動する、さらなるステップを含むことを特徴とする、方法。
【請求項２３】
請求項２に記載の建築構造として使用可能な前記高さ調節可能な輸送可能な搬送用コンテナにおいて、輸送の間前記搬送用コンテナ壁を形成する前記要素を、拡張後に前記コンテナ内の別の場所へ移動するように適合する、高さ調節可能な輸送可能な搬送用コンテナ。
【手続補正３】
【補正対象書類名】図面
【補正対象項目名】図２３
【補正方法】変更
【補正の内容】
【図２３】
2015513622.tif 000055
【手続補正４】
【補正対象書類名】図面
【補正対象項目名】図２７Ａ
【補正方法】変更
【補正の内容】
【図２７Ａ】
2015513622.tif 000056
【手続補正５】
【補正対象書類名】図面
【補正対象項目名】図２８Ａ
【補正方法】変更
【補正の内容】
【図２８Ａ】
2015513622.tif 000057
【国際調査報告】
2015513622.tif 000058
2015513622.tif 000059
2015513622.tif 000060
2015513622.tif 000061
2015513622.tif 000062